(57)【要約】  ユーザの駐車情報に基づいて作成されるユーザプロファイル情報に合致する施設情報を推奨する。  サーバシステム１は、施設種別、駐車日時、移動体６の停止時間、駐車回数、及びこれらの統計値が記録された施設情報データベース１１２１と、移動体６の位置情報を移動体６の識別情報とともに受信する受信部１０１と、移動体６のユーザプロファイル情報が移動体６の識別情報と識別可能に記録されるユーザプロファイル情報記憶部１１３１と、移動体６の位置情報に基づいて、移動体６が駐車した施設と駐車時間、駐車回数を特定する移動体駐車情報特定部１０２と、移動体駐車情報特定部１０２により特定される情報を基に、ユーザプロファイル情報記憶部１１３１に記録されているユーザプロファイル情報を更新するユーザプロファイル情報更新部１０４と、を備える。
2019065349.tif 000002
【特許請求の範囲】
【請求項１】
複数の施設毎に、施設種別と、施設名称と、施設提供サービスと、施設駐車場位置情報とを含む施設情報を記憶するとともに、不特定多数の移動体の施設駐車場における駐車日時、駐車時間、及び駐車回数を含む駐車情報から特定される前記施設駐車場の統計指標を前記施設駐車場位置情報を含む施設情報に紐づけて記憶する施設駐車場情報保存部と、
移動体の位置情報を前記移動体の識別情報とともに受信する受信部と、
前記移動体の使用者であるユーザに係るユーザプロファイル情報を前記移動体の識別情報と識別可能に紐づけて記憶するユーザプロファイル情報記憶部と、
前記ユーザのプロファイル情報が紐づけられている前記移動体のイグニッション情報と位置情報に基づいて、前記移動体の駐車した施設駐車場と、前記移動体の前記施設駐車場における駐車情報を特定する、移動体駐車情報特定部と、
前記移動体駐車情報特定部により特定される前記移動体の施設駐車場における駐車情報と、前記施設駐車場情報保存部に記憶された施設駐車場の統計指標と、に基づいて、前記ユーザプロファイル情報記憶部に記憶されている前記ユーザプロファイル情報を更新するユーザプロファイル情報更新部と、
を備えるユーザ情報管理装置。
【請求項２】
前記ユーザプロファイル情報更新部によって更新される、前記移動体の使用者であるユーザに係るユーザプロファイル情報と、前記施設駐車場情報保存部に記憶されている施設情報に基づいて、前記ユーザに対して推奨する施設を選択する推奨施設選択部と、
前記推奨施設選択部により選択された施設の施設情報を前記ユーザプロファイル情報と紐づけられた前記移動体に対して送信する推奨施設提供部と、
を備える請求項１に記載のユーザ情報管理装置。
【請求項３】
出発位置から目的地までのルートと所要時間とを算出するナビゲーション部を備え、
前記ナビゲーション部は、さらに、
前記出発位置から前記目的地までのルートにおいて立ち寄り施設が設定された場合、前記施設駐車場情報保存部に記憶されている前記施設駐車場の統計指標と、前記ユーザのユーザプロファイル情報と、に基づいて、前記立ち寄り施設における滞在時間を見積もる滞在時間見積もり部を備え、
前記滞在時間見積もり部により見積もられた前記立ち寄り施設での滞在時間に基づいて、前記出発位置から、前記立ち寄り地点で滞在して、その後前記目的地に到着するルートと所要時間を算出する、請求項１又は請求項２に記載のユーザ情報管理装置。
【請求項４】
出発位置から目的地までのルートと所要時間とを算出するナビゲーション部と、
前記ユーザプロファイル情報更新部によって更新される、前記移動体の使用者であるユーザに係るユーザプロファイル情報と、前記施設駐車場情報保存部に記憶されている施設情報に基づいて、前記ユーザに対して推奨する施設を選択する推奨施設選択部と、
前記推奨施設選択部により選択された施設の施設情報を前記ユーザプロファイル情報と紐づけられた前記移動体に対して送信する推奨施設提供部と、
を備え
前記ナビゲーション部は、さらに、
前記出発位置から前記目的地までのルートにおいて、前記推奨施設提供部により立ち寄り施設が提供された場合、前記施設駐車場情報保存部に記憶されている前記施設駐車場の統計指標と、前記ユーザのユーザプロファイル情報と、に基づいて、前記立ち寄り施設における滞在時間を見積もる滞在時間見積もり部を備え、
前記滞在時間見積もり部により見積もられた前記立ち寄り施設での滞在時間に基づいて、前記出発位置から、前記立ち寄り地点で滞在して、その後前記目的地に到着するルートと所要時間を算出する、請求項１に記載のユーザ情報管理装置。
【請求項５】
複数の施設毎に、施設種別と、施設名称と、施設提供サービスと、施設駐車場位置情報とを含む施設情報を記憶するとともに、不特定多数の移動体の施設駐車場における駐車日時、駐車時間、及び駐車回数を含む駐車情報から特定された前記施設駐車場の統計指標を施設情報に紐づけて記憶する施設駐車場情報保存部と、前記移動体の使用者であるユーザに係るユーザプロファイル情報を前記移動体の識別情報と識別可能に紐づけて記憶するユーザプロファイル情報記憶部と、を備えるユーザ情報管理装置が前記移動体の使用者であるユーザのユーザ情報を管理するユーザ情報管理方法であって、
前記ユーザ情報管理装置が、
移動体の位置情報を前記移動体の識別情報とともに受信する受信ステップと、
前記ユーザのプロファイル情報が紐づけられている前記移動体のイグニッション情報と位置情報に基づいて、前記移動体の駐車した施設駐車場と、前記移動体の前記施設駐車場における駐車情報を特定する、移動体駐車情報特定ステップと、
前記移動体駐車情報特定ステップにおいて特定される前記移動体の施設駐車場における駐車情報と、前記施設駐車場情報保存部に記憶された施設駐車場の統計指標と、に基づいて、前記ユーザプロファイル情報記憶部に記憶されている前記ユーザプロファイル情報を更新するユーザプロファイル情報更新ステップと、
を備えるユーザ情報管理方法。
【請求項６】
前記ユーザ情報管理装置が、
前記ユーザプロファイル情報更新ステップにおいて更新される、前記移動体の使用者であるユーザに係るユーザプロファイル情報と、前記施設駐車場情報保存部に記憶されている施設情報に基づいて、前記ユーザに対して推奨する施設を選択する推奨施設選択ステップと、
前記推奨施設選択ステップにおいて選択された施設の施設情報を前記ユーザプロファイル情報と紐づけられた前記移動体に対して送信する推奨施設提供ステップと、
を備える請求項５に記載のユーザ情報管理方法。
【請求項７】
前記ユーザ情報管理装置が、
出発位置から目的地までのルートと所要時間とを算出するナビゲーションステップを備え、
前記ナビゲーションステップは、さらに、
前記出発位置から前記目的地までのルートにおいて立ち寄り施設が設定された場合、前記施設駐車場情報保存部に記憶されている前記施設駐車場の統計指標と、ユーザのユーザプロファイル情報と、に基づいて、前記立ち寄り施設における滞在時間を見積もる滞在時間見積もりステップを備え、
前記滞在時間見積もりステップにおいて見積もられた前記立ち寄り施設での滞在時間に基づいて、前記出発位置から、前記立ち寄り地点で滞在して、その後前記目的地に到着するルートと所要時間を算出する、請求項５又は請求項６に記載のユーザ情報管理方法。
【請求項８】
前記ユーザ情報管理装置が、
出発位置から目的地までのルートと所要時間とを算出するナビゲーションステップと、
前記ユーザプロファイル情報更新ステップにおいて更新される、前記移動体の使用者であるユーザに係るユーザプロファイル情報と、前記施設駐車場情報保存部に記憶されている施設情報に基づいて、前記ユーザに対して推奨する施設を選択する推奨施設選択ステップと、
前記推奨施設選択ステップにおいて選択された施設の施設情報を前記ユーザプロファイル情報と紐づけられた前記移動体に対して送信する推奨施設提供ステップと、
を備え、
前記ナビゲーションステップは、さらに、
前記出発位置から前記目的地までのルートにおいて、前記推奨施設提供ステップにおいて立ち寄り施設が提供された場合、前記施設駐車場情報保存部に記憶されている前記施設駐車場の統計指標と、前記ユーザのユーザプロファイル情報と、に基づいて、前記立ち寄り施設における滞在時間を見積もる滞在時間見積もりステップを備え、
前記滞在時間見積もりステップにおいて見積もられた前記施設での滞在時間に基づいて、前記出発位置から、前記立ち寄り地点で滞在して、その後前記目的地に到着するルートと所要時間を算出する、請求項６に記載のユーザ情報管理方法。
【発明の詳細な説明】
【技術分野】
【０００１】
本発明は、自動車等の車両のユーザに対して、当該ユーザがこれまでに、どの施設に、いつ、どの程度駐車しているか、といった駐車内容に関するユーザ情報を、複数の不特定多数の車両から収集したプローブ情報を用いて作成される各車両の駐車した施設（＝ＰＯＩ（Ｐｏｉｎｔ  Ｏｆ  Ｉｎｔｅｒｅｓｔ））における駐車に関する統計情報に照らし合わせることで、当該ユーザのプロファイルを推定し、推定されたユーザのプロファイルに基づいて、当該ユーザに推奨する施設情報を提供するためのユーザ情報管理装置及びユーザ情報管理方法に関する。
【背景技術】
【０００２】
従来、自動車等の車両に施設情報を提供する場合、車両の現在位置からの距離で一律に施設情報（例えば、クーポン情報）を配信していた。このため、ユーザは、配信された多数の施設情報のなかから、自身の属性に合った施設を探す必要があった。
例えば、目的地まで移動する場合に、途中で食事、トイレ、給油等で施設へ立ち寄るニーズがある。その解決方法として、車両に搭載された車載ナビゲーション装置が、ナビゲーションサーバに車両の現在位置を送信し、それに対して、ナビゲーションサーバが車両の現在位置や将来の到達地点の所定範囲内にある施設を検索したうえで、検索した施設をユーザに提示するナビゲーションシステムが考案されていた（例えば、特許文献１）。
【先行技術文献】
【特許文献】
【０００３】
【特許文献１】特開２０１５−１８４０７２号公報
【発明の概要】
【発明が解決しようとする課題】
【０００４】
特許文献１に開示されたシステムでは、車両の現在位置からの距離で一律に施設情報（例えば、クーポン情報）を配信しているため、例えば、ファミリー層にカウンタ形式の飲食店情報を提供したり、逆に、独身者にファミリー向けのレストラン情報を提供したり、ニーズと異なる施設情報を配信する恐れがあった。このため、ユーザは、自身に向いていない施設情報を含む施設情報の中から、自身の属性に合った施設を探す必要があり、本来ユーザに対して当該ユーザの属性に合致した施設情報を優先的に表示されるべき施設の情報が効率よく提供されない恐れがあった。【０００５】
本発明は、このような問題に鑑みてなされたものである。本発明は、車両に乗車しているユーザに向けて、当該ユーザのこれまでの駐車内容に基づいて作成されるユーザプロファイル情報に合致した施設情報を推奨することを可能とすることでユーザの満足度を向上させるとともに、当該ユーザに対して、例えば目的地までのルート内で立ち寄る施設における滞在時間をユーザプロファイル情報に基づいて、適切に見積もることを可能とすることで、目的地への到着予測精度を向上させる、ユーザ情報管理装置及びユーザ情報管理方法を提供することを目的とする。
【課題を解決するための手段】
【０００６】
（１）  複数の施設毎に、施設種別（例えば後述の施設種別及び／又はジャンル）と、施設名称と、施設提供サービスと、施設駐車場位置情報とを含む施設情報を記憶するともに、不特定多数の移動体の施設駐車場における駐車日時、駐車時間、及び駐車回数を含む駐車情報から特定される前記施設駐車場の統計指標（例えば、後述の当該施設駐車場における季節、月、曜日、平日・祝日、及び時間帯等の任意の組み合わせの時間帯における、駐車時間、駐車台数の平均値、分散、標準偏差値）を前記施設駐車場位置情報を含む施設情報に紐づけて記憶する施設駐車場情報保存部（例えば、後述の「施設情報データベース１１２１」）と、移動体の位置情報を前記移動体の識別情報とともに受信する受信部（例えば、後述の「受信部１０１」）と、前記移動体の使用者であるユーザに係るユーザプロファイル情報を前記移動体の識別情報と識別可能に紐づけて記憶するユーザプロファイル情報記憶部（例えば、後述の「ユーザプロファイル情報記憶部１１３１」）と、前記ユーザのプロファイル情報が紐づけられている前記移動体のイグニッション情報と位置情報に基づいて、前記移動体の駐車した施設駐車場と、前記移動体の前記施設駐車場における駐車情報（例えば後述の施設駐車場に係る施設ＩＤ、駐車日時、駐車時間、及び駐車回数）を特定する、移動体駐車情報特定部（例えば、後述の「移動体駐車情報特定部１０２」）と、前記移動体駐車情報特定部により特定される前記移動体の施設駐車場における駐車情報と、前記施設駐車場情報保存部に記憶された施設駐車場の統計指標と、に基づいて、前記ユーザプロファイル情報記憶部に記憶されている前記ユーザプロファイル情報を更新するユーザプロファイル情報更新部（例えば、後述の「ユーザプロファイル情報更新部１０４」）と、を備えるユーザ情報管理装置（例えば、後述の「サーバシステム１」）。【０００７】
（１）のユーザ情報管理装置によると、各移動体の施設駐車場における駐車情報と、前記施設駐車場情報保存部に記憶された施設駐車場の統計指標と、に基づいて、ユーザプロファイル情報記憶部に記憶されている、ユーザの嗜好やユーザの行動特性等を含むユーザプロファイル情報を更新することができる。
これにより、ユーザに直接、ユーザプロファイル情報を入力させることなく、移動体の施設駐車場における駐車情報と、前記施設駐車場情報保存部に記憶された施設駐車場の統計指標と、に基づいて、ユーザの嗜好やユーザの行動特性等を含むユーザプロファイル情報を作成することが可能となる。例えば、休日の昼の時間帯は例えば１時間滞在するのが標準的な施設（ＰＯＩ）に３０分しか滞在しないユーザの場合、当該ユーザの行動特性を標準的なユーザと比べてせっかちである旨のユーザプロファイル情報を自動的に作成更新することができる。【０００８】
（２）前記ユーザプロファイル情報更新部によって更新される、前記移動体の使用者であるユーザの嗜好やユーザの行動特性等を含むユーザプロファイル情報と、前記施設駐車場情報保存部に記憶されている施設情報に基づいて、前記ユーザに対して推奨する施設を選択する推奨施設選択部（例えば、後述の「推奨施設選択部１０５」）と、前記推奨施設選択部により選択された施設の施設情報を前記ユーザプロファイル情報と紐づけられた前記移動体に対して送信する推奨施設提供部（例えば、後述の「推奨施設提供部１０６」）と、を備える（１）に記載のユーザ情報管理装置。【０００９】
これにより、ユーザ情報管理装置は、ユーザの嗜好やユーザの行動特性等を含むユーザプロファイル情報に基づいて、当該移動体６の使用者であるユーザに対して、例えば、ユーザの立ち寄るのに適切な施設情報を提供することができる。ユーザによる特別な操作無しで、自動的に作成更新されるユーザプロファイル情報に応じた施設情報が優先的に提供され、ユーザの満足度が向上する。【００１０】
（３）  出発位置から目的地までのルートと所要時間とを算出するナビゲーション部（例えば、後述の「ナビゲーション部１０７」）を備え、前記ナビゲーション部は、さらに、前記出発位置から前記目的地までのルートにおいて立ち寄り施設が設定された場合、前記施設駐車場情報保存部に記憶されている前記施設駐車場の統計指標と、前記ユーザのユーザプロファイル情報と、に基づいて、前記立ち寄り施設における滞在時間を見積もる滞在時間見積もり部（例えば、後述の「滞在時間見積もり部１０７１」）を備え、前記滞在時間見積もり部により見積もられた前記立ち寄り施設での滞在時間に基づいて、前記出発位置から、前記立ち寄り地点で滞在して、その後前記目的地に到着するルートと所要時間を算出する、（１）又は（２）に記載のユーザ情報管理装置。【００１１】
これにより、ユーザ情報管理装置は、当該移動体６の使用者であるユーザに対して、ルート内で立ち寄る施設における滞在時間をユーザの行動特性を含むユーザプロファイル情報に基づいて、適切に見積もることができる。例えば、せっかちなユーザに対しては立ち寄り時間を平均的なユーザに比べて短い時間を算出することで、目的地への到着予測精度等を向上させることができる。【００１２】
（４）  出発位置から目的地までのルートと所要時間とを算出するナビゲーション部（例えば、後述の「ナビゲーション部１０７」）と、前記ユーザプロファイル情報更新部によって更新される、前記移動体の使用者であるユーザに係るユーザプロファイル情報と、前記施設駐車場情報保存部（例えば、後述の「施設情報データベース１１２１」）に記憶されている施設情報に基づいて、前記ユーザに対して推奨する施設を選択する推奨施設選択部（例えば、後述の「推奨施設選択部１０５」）と、前記推奨施設選択部により選択された施設の施設情報を前記ユーザプロファイル情報と紐づけられた前記移動体に対して送信する推奨施設提供部（例えば、後述の「推奨施設提供部１０６」）と、を備え、前記ナビゲーション部は、さらに、前記出発位置から前記目的地までのルートにおいて、前記推奨施設提供部により立ち寄り施設が提供された場合、前記施設駐車場情報保存部に記憶されている前記施設駐車場の統計指標と、前記ユーザのユーザプロファイル情報と、に基づいて、前記立ち寄り施設における滞在時間を見積もる滞在時間見積もり部（例えば、後述の「滞在時間見積もり部１０７１」）を備え、前記滞在時間見積もり部により見積もられた前記立ち寄り施設での滞在時間に基づいて、前記出発位置から、前記立ち寄り地点で滞在して、その後前記目的地に到着するルートと所要時間を算出する、（１）に記載のユーザ情報管理装置。【００１３】
（４）のユーザ情報管理装置によれば、（２）のユーザ情報管理装置による効果と（３）のユーザ情報管理装置による効果との相乗効果を奏することはできる。【００１４】
（５）  複数の施設毎に、施設種別（ジャンル）と、施設名称と、施設提供サービスと、施設駐車場位置情報とを含む施設情報を記憶するとともに、不特定多数の移動体の施設駐車場における駐車日時、駐車時間、及び駐車回数を含む駐車情報から特定された前記施設駐車場の統計指標を施設情報に紐づけて記憶する施設駐車場情報保存部と、前記移動体の使用者であるユーザに係るユーザプロファイル情報を前記移動体の識別情報と識別可能に紐づけて記憶するユーザプロファイル情報記憶部と、を備えるユーザ情報管理装置が前記移動体の使用者であるユーザのユーザ情報を管理するユーザ情報管理方法であって、前記ユーザ情報管理装置が、移動体の位置情報を前記移動体の識別情報とともに受信する受信ステップと、前記ユーザのプロファイル情報が紐づけられている前記移動体のイグニッション情報と位置情報に基づいて、前記移動体の駐車した施設駐車場と、前記移動体の前記施設駐車場における駐車情報（例えば、後述の施設駐車場に係る施設ＩＤ、駐車日時、駐車時間、及び駐車回数）を特定する、移動体駐車情報特定ステップと、前記移動体駐車情報特定ステップにおいて特定される前記移動体の施設駐車場における駐車情報と、前記施設駐車場情報保存部に記憶された施設駐車場の統計指標と、に基づいて、前記ユーザプロファイル情報記憶部に記憶されている前記ユーザプロファイル情報を更新するユーザプロファイル情報更新ステップと、を備えるユーザ情報管理方法。【００１５】
（５）の方法によれば、（１）のユーザ情報管理装置と同様の効果を奏する。【００１６】
（６）  前記ユーザ情報管理装置が、前記ユーザプロファイル情報更新ステップにおいて更新される、前記移動体の使用者であるユーザに係るユーザプロファイル情報と、前記施設駐車場情報保存部に記憶されている施設情報に基づいて、前記ユーザに対して推奨する施設を選択する推奨施設選択ステップと、前記推奨施設選択ステップにおいて選択された施設の施設情報を前記ユーザプロファイル情報と紐づけられた前記移動体に対して送信する推奨施設提供ステップと、を備える（５）に記載のユーザ情報管理方法。【００１７】
（６）の方法によれば、（２）のユーザ情報管理装置と同様の効果を奏する。【００１８】
（７）  前記ユーザ情報管理装置が、出発位置から目的地までのルートと所要時間とを算出するナビゲーションステップを備え、前記ナビゲーションステップは、さらに、前記出発位置から前記目的地までのルートにおいて立ち寄り施設が設定された場合、前記施設駐車場情報保存部に記憶されている前記施設駐車場の統計指標と、ユーザのユーザプロファイル情報と、に基づいて、前記立ち寄り施設における滞在時間を見積もる滞在時間見積もりステップを備え、前記滞在時間見積もりステップにおいて見積もられた前記立ち寄り施設での滞在時間に基づいて、前記出発位置から、前記立ち寄り地点で滞在して、その後前記目的地に到着するルートと所要時間を算出する、（５）又は（６）に記載のユーザ情報管理法方法。【００１９】
（７）の方法によれば、（３）のユーザ情報管理装置と同様の効果を奏する。【００２０】
（８）  前記ユーザ情報管理装置が、出発位置から目的地までのルートと所要時間とを算出するナビゲーションステップと、前記ユーザプロファイル情報更新ステップにおいて更新される、前記移動体の使用者であるユーザに係るユーザプロファイル情報と、前記施設駐車場情報保存部に記憶されている施設情報に基づいて、前記ユーザに対して推奨する施設を選択する推奨施設選択ステップと、前記推奨施設選択ステップにおいて選択された施設の施設情報を前記ユーザプロファイル情報と紐づけられた前記移動体に対して送信する推奨施設提供ステップと、を備え、前記ナビゲーションステップは、さらに、前記出発位置から前記目的地までのルートにおいて、前記推奨施設提供ステップにおいて立ち寄り施設が提供された場合、前記施設駐車場情報保存部に記憶されている前記施設駐車場の統計指標と、前記ユーザのユーザプロファイル情報と、に基づいて、前記立ち寄り施設における滞在時間を見積もる滞在時間見積もりステップを備え、前記滞在時間見積もりステップにおいて見積もられた前記施設での滞在時間に基づいて、前記出発位置から、前記立ち寄り地点で滞在して、その後前記目的地に到着するルートと所要時間を算出する、（６）に記載のユーザ情報管理方法。【００２１】
（８）の方法によれば、（４）のユーザ情報管理装置と同様の効果を奏する。
【発明の効果】
【００２２】
本発明によれば、本発明は、車両に乗車しているユーザに向けて、当該ユーザのこれまでの駐車内容に基づいて作成されるユーザプロファイル情報に合致した施設情報を推奨することを可能とすることでユーザの満足度を向上させるとともに、当該ユーザに対して、例えば目的地までのルート内で立ち寄る施設における滞在時間をユーザプロファイル情報に基づいて、適切に見積もることを可能とすることで、目的地への到着予測精度等を向上させる。
【図面の簡単な説明】
【００２３】
【図１】ユーザ情報管理システム１００のシステム構成を示す図である。
【図２】サーバシステム１の構成を示す図である。
【図３】車両に搭載される車載ナビゲーション装置２の構成を示す図である。
【図４Ａ】車載ナビゲーション装置２に表示される、情報配信開始するための画面の例を示す図である。
【図４Ｂ】車載ナビゲーション装置２に表示される、提供された推奨施設情報を表示する画面の例を示す図である。
【図４Ｃ】車載ナビゲーション装置２に表示される、提供された推奨施設の位置を表示する画面の例を示す図である。
【図５】携帯端末３の構成を示す図である。
【図６】移動体６の出発位置から駐車位置までの接続履歴レコード情報を記録する処理の流れを示すフローチャートである。
【図７】ユーザプロファイル情報を作成更新する処理の流れを示すフローチャートである。
【図８】ユーザ情報管理システム１００における移動体６からの推奨施設情報要求からルート案内するまでの処理の流れを示すフローチャートである。
【発明を実施するための形態】
【００２４】
［第１実施形態］
以下、本発明のユーザ情報管理システムの好ましい一実施形態について、図１〜図７Ｂを参照しながら説明する。
【００２５】
［ユーザ情報管理システム１００の機能構成］
本発明の好ましい一実施形態に係るユーザ情報管理システム１００の機能構成について説明する。図１に、ユーザ情報管理システム１００のシステム構成を示す。
【００２６】
図１に示すように、ユーザ情報管理システム１００は、サーバシステム１と、車両５に搭載される車載ナビゲーション装置２と、携帯端末３と、を含んで構成される。以下、車載ナビゲーション装置２のような通信機器が搭載された車両５又は車両５と信号接続（ペアリング）された携帯端末３を備える車両５を移動体６という。また、サーバシステム１と通信する、移動体６の車載ナビゲーション装置２及び携帯端末３について、特に断らない限り、「移動体６」と総称する。
【００２７】
サーバシステム１は、通信部１２を介して、移動体６（車載ナビゲーション装置２、及び携帯端末３）と情報の送受信を行う。
サーバシステム１は、複数の施設毎に、施設種別（ジャンル）と、施設名称と、施設提供サービスと、施設駐車場位置情報とを含む施設情報を記憶するともに、不特定多数の移動体の施設駐車場における駐車日時、駐車時間、及び駐車回数を含む駐車情報から特定される施設駐車場の統計指標（例えば、当該施設駐車場における季節、月、曜日、平日・祝日、及び時間帯等の任意の組み合わせの時間帯における、駐車時間、駐車台数の平均値、分散、標準偏差値等）を施設駐車場位置情報を含む施設情報に紐づけて記憶する施設情報データベース１１２１を備える。
サーバシステム１は、移動体の使用者であるユーザに係るユーザプロファイル情報を移動体６の識別情報と識別可能に紐づけて記憶するユーザプロファイル情報記憶部１１３１を備える。
サーバシステム１は、通信部１２を介して、移動体６（車載ナビゲーション装置２、及び携帯端末３）と情報の送受信を行うことで、移動体６のイグニッション情報と位置情報に基づいて、移動体６の駐車した施設駐車場と、移動体６の施設駐車場における駐車情報（施設駐車場に係る施設ＩＤ、駐車日時、駐車時間、及び駐車回数）を特定する。
サーバシステム１は、移動体６の施設駐車場における駐車情報と、施設情報データベース１１２１に記憶された施設駐車場の統計指標と、に基づいて、ユーザプロファイル情報記憶部１１３１に記憶されているユーザプロファイル情報を更新する。
また、サーバシステム１は、例えば、移動体６の現在位置情報及びユーザプロファイル情報に基づいて、移動体６の現在位置から進行方向の現在位置近辺に位置している施設、移動体６の現在位置から目的位置に至る経路付近に存在する推奨施設を抽出して、移動体６に提供する。
また、サーバシステム１は、出発位置から前記目的地までのルートにおいて立ち寄り施設が設定された場合、施設情報データベース１１２１に記憶されている施設駐車場の統計指標と、ユーザのユーザプロファイル情報と、に基づいて、立ち寄り施設における滞在時間を見積もるとともに、出発位置から、立ち寄り施設で滞在して、その後目的地に到着するルートと所要時間を算出する。
【００２８】
本発明の実施形態では、サーバシステム１を１つのサーバとして記載するが、サーバシステム１の各機能を、適宜複数のサーバに分散する、分散処理システムとしてもよい。また、クラウド上で仮想サーバ機能等を利用して、サーバシステム１の各機能を実現してもよい。
【００２９】
車両５に搭載される車載ナビゲーション装置２は可搬可能なナビゲーションデバイスであるＰＮＤ等を含む。車載ナビゲーション装置２には施設情報表示機能等を実現するためのソフトウェアがインストールされており、ユーザプロファイル情報に基づいて、サーバシステム１から選択されて提供される、例えば移動体６の現在位置から進行方向の現在位置近辺に位置している推奨施設、移動体６の現在位置から目的位置に至る経路付近に存在する推奨施設の施設情報を表示することができる。
なお、施設情報表示機能等を実現するためのソフトウェアは、予めインストールされていてもよい。また、サーバシステム１との送受信時に必要に応じて適宜ダウンロードされてもよい。
【００３０】
携帯端末３は、携帯電話、スマートフォン、タブレット端末、ＰＤＡ、ノートパソコン、その他の携帯可能な電子機器であって、無線通信機能を備える電子機器を含む。携帯端末３にも、車載ナビゲーション装置２と同様に、サーバシステム１から選択されて提供される、例えば移動体６の現在位置から進行方向の現在位置近辺に位置している推奨施設、移動体６の現在位置から目的位置に至る経路付近に存在する推奨施設の施設情報を表示することができる。
なお、施設情報表示機能等を実現するためのソフトウェアは、予めインストールされていてもよい。また、サーバシステム１との送受信時に必要に応じて適宜ダウンロードされてもよい。
次にそれぞれの構成について説明する。
【００３１】
最初にサーバシステム１について説明する。図２にサーバシステム１の構成を示す。
＜サーバシステム１＞
図２に示すように、サーバシステム１は、少なくとも、制御部１０と、記憶部１１と、通信部１２とを、さらに必要に応じて表示部１４と、入力部１５を備えている。
【００３２】
制御部１０はＣＰＵ、ＲＡＭ、ＲＯＭ、Ｉ／Ｏ等を有するプロセッサにより構成され、各構成部の制御を行う。ＣＰＵは、ＲＡＭ、ＲＯＭ又は記憶部１１から読み出したナビゲーションのための各プログラムを実行し、その実行の際にはＲＡＭ、ＲＯＭ、及び記憶部１１から情報を読み出し、ＲＡＭ及び記憶部１１に対して情報の書き込みを行い、通信部１２と信号の授受を行う。
詳細については、後述する。
【００３３】
記憶部１１は半導体メモリやハードディスクドライブ等で構成されており、オペレーティングシステム（ＯＳ）やアプリケーションと呼ばれるソフトウェアが保存される等、種々の情報が記憶される。このため、図２に示すように、記憶部１１には、地図情報エリア１１１、施設情報エリア１１２、移動体情報エリア１１３、及び接続履歴情報エリア１１４、といった、様々な記憶エリアが確保されている。
なお、これらの記憶エリアは、記憶部１１において、それぞれ個別に確保されてもよいし、また、例えば、地図情報エリア１１１と施設情報エリア１１２のような複数の記憶エリアを一体で構成してもよい。
【００３４】
＜地図情報エリア１１１＞
記憶部１１の地図情報エリア１１１には、道路や施設等の地物に関する情報、ナビゲーションのための地図情報、道路情報、施設駐車場位置情報、駐車場情報等が予め格納されている。地図情報には、道路及び道路地図等の背景を表示するための表示用地図データ、ノード（例えば道路の交差点、屈曲点、端点等）の位置情報及びその種別情報、各ノード間を結ぶ経路であるリンクの位置情報及びその種別情報、全てのリンクのコスト情報（例えば距離、所要時間等）に関するリンクコストデータ等を含む道路ネットワークデータ等が含まれる。
道路情報には道路の種別や信号機等のいわゆる道路地図の情報が保存されている。
施設駐車場位置情報は、各施設駐車場の位置情報が緯度経度の情報として保存されている。
【００３５】
また、記憶部１１の地図情報エリア１１１には、交通情報センタ等から受信する交通情報が当該交通情報を受信した記録時刻とともに記憶される。交通情報には、例えばリンク毎の走行車両数、走行所要時間、渋滞情報、交通規制情報、天候情報等の移動コストを左右する要素が含まれる。また、リンクの過去の交通情報等も記録されている。
【００３６】
＜施設情報エリア１１２＞
記憶部１１の施設情報エリア１１２には、施設の識別情報（施設ＩＤ）、名称、施設種別（及び／又はジャンル）、電話番号、住所、営業時間、緯度経度等で特定される施設駐車場位置情報、施設が飲食店であれば提供するメニュー、商品役務等に関する施設情報、施設駐車場の統計指標、空き情報、及びクーポン券発行情報等を含む各施設の情報が記憶されている施設情報データベース１１２１が含まれる。
【００３７】
ここで、施設ＩＤは施設毎に付与されている固有の識別情報である。施設ＩＤは、施設種別毎に、さらに、各施設種別の中でさらにジャンル別に階層化されてＩＤが付与されていることが好ましい。例えば、施設種別としては、飲食店、スーパーマーケット、スポーツジム等の店舗種別が一例として挙げられる。さらに施設種別が飲食店の場合、例えば、複数のジャンルによる分類として、和食、中華、洋食、イタリアン、フレンチ、喫茶店等といった提供料理の内容に基づくジャンル、またファストフード、ドライブスルー、ラーメン屋、ファミリーレストラン等といった、速さや手軽さの観点の基づくジャンル等が一例として挙げられる。ここで、ジャンルは、その内容によって複数個のジャンルを組み合わせて付与することができる。例えば、洋食でファストフードといった例が挙げられる。なお、施設種別、ジャンル等はこれに限定されない。
【００３８】
また、施設情報には、営業時間や連絡先の電話番号、飲食店であれば提供されているメニュー等の施設に関する情報が保存されている。施設情報は、車載ナビゲーション装置２及び携帯端末３等からの要求に応じ、随時提供される。
なお、施設情報エリア１１２には、施設ＩＤ毎に当該施設の提供する電子クーポン等の割引情報であるクーポン情報、当該施設情報の配信に関する条件（例えば、当該施設情報の有効期間、当該施設情報の配信時間帯等）、各施設に付与される施設評価情報等を記憶するようにしてもよい。
【００３９】
＜施設駐車場の統計指標＞
次に、施設駐車場の統計指標について説明する。施設駐車場の統計指標とは、不特定多数の移動体から収集したプローブ情報等に基づいて得られる不特定多数の移動体の当該施設駐車場における駐車日時、駐車時間、駐車回数、及びユニークユーザ数（当該駐車場に駐車した異なる移動体数）等を含む駐車情報から算出される当該施設駐車場における、例えば、季節、月、曜日、平日・祝日、及び時間帯等の任意の組み合わせの時間帯における、駐車時間の平均値、駐車台数の平均値、分散、標準偏差値等を示す当該施設駐車場の特性を示す統計値である。なお、施設駐車場位置は、例えば施設駐車場位置情報を中心とする、所定の大きさの領域（「駐車場エリア」という）を意味するものとして、移動体が当該駐車場エリア内に駐車した場合に、当該駐車場位置に駐車したとみなしてもよい。
なお、施設駐車場の統計指標は、前述のとおり、季節、月、曜日、平日・祝日、及び時間帯等の任意の組み合わせの時間帯における統計値が好ましいが、これに限定されない。例えば、平日・祝日、及び時間帯の組み合わせでもよい。
【００４０】
それぞれの施設駐車場の統計指標により、例えば、当該施設の平日の（時間帯毎の）混雑度、車両１台当たりの平均停車時間、休日の（時間帯毎の）平均停車時間や混雑度等の特性がわかる。なお、施設駐車場の統計指標を、例えば車両（移動体）のカテゴリー種別毎に細分化した情報を含んでもよい。ここで、カテゴリー種別とは、例えばミニバンやセダン等のような種別をいう。
施設駐車場の統計指標から、当該施設を利用するユーザの特徴を推定することができる。例えば、施設駐車場における平均駐車時間の大小に基づいて、休日の昼食時間帯において、当該施設がユーザを待たせない、サービス提供の迅速な、滞在時間の短い施設であるか、又は時間をかけてサービスを提供する滞在時間の長い施設であるか、等のタイプを推定することができる。なお、施設駐車場の統計指標は、適宜更新されることが好ましい。
なお、施設情報データベース１１２１又は施設情報エリア１１２には、施設駐車場毎の統計指標に加えて、施設種別及び／又は施設ジャンルによりグループ化した施設駐車場グループに属する全ての施設を対象として、平均駐車時間及び標準偏差値（「施設駐車場グループの統計指標」ともいう）を算出して記憶することができる。そうすることで、一種の仮想的な施設駐車場としての施設駐車場グループの統計指標が得られる。その場合、施設駐車場の統計指標とともに、施設駐車場グループの統計指標も、適宜更新されることが好ましい。
また、施設駐車場のグループ化については、施設種別及び／又は施設ジャンルによるグループ化に限定されない。例えば、施設の提供するサービス内容がそれぞれ代替可能な種別（例えば、食堂、レストラン等の食事を提供する場所）に含まれる施設について、施設駐車場の統計指標（平均駐車時間及び標準偏差値等）に基づいて、統計指標が似ている施設を同一グループとするグループ分けでもよい。それにより、同一グループに属する施設は、滞在時間の分布が似ている施設から構成されることになり、例えば、滞在時間で施設を推奨する場合、代替可能な施設の集合として利用することができる。すなわち、ラーメン屋とファストフードの店の滞在時間の分布が似ている場合、ラーメン屋又はファストフード点をともに推奨施設として選択できる。
なお、施設情報データベース１１２１は、物理的に１つのデータベースから構成されるおのに限定されない。施設情報データベース１１２１に含まれるデータを複数のファイルに分散して、例えば施設ＩＤ等により紐付けされる分散型のデータベースであってもよい。
【００４１】
＜移動体情報エリア１１３＞
記憶部１１の移動体情報エリア１１３には、移動体６に関する情報、及び移動体６の使用者であるユーザに係るユーザプロファイル情報を移動体６の識別情報（以下「移動体ＩＤ」ともいう）と識別可能に紐づけて記憶するユーザプロファイル情報記憶部１１３１が保存される。
移動体情報エリア１１３に記憶される移動体６に関する情報は、各移動体６を識別するための移動体ＩＤにより一意的に管理される。ここで、移動体ＩＤは、車載ナビゲーション装置２や携帯端末３、さらに車両５に固有に振られた番号を用いることができる。例えば、携帯電話網のＳＩＭに付与された電話番号を移動体ＩＤとすることができる。また、車両５の場合は、車両５に固有に付与されたＶＩＮ（車両識別番号）やナンバープレートの番号を移動体ＩＤとすることができる。
【００４２】
ユーザプロファイル情報記憶部１１３１に記憶されるユーザプロファイル情報は、移動体６の使用者であるユーザの施設駐車情報（例えば、季節、月、曜日、平日・祝日、及び時間帯等の任意の組み合わせの時間帯における駐車時間、駐車回数）（以下、「ユーザの施設駐車情報」という）から算出される、移動体６の施設駐車場における駐車特性指標から推定されるユーザの嗜好やユーザの行動特性等をいう。
ここで、移動体６の施設駐車場における駐車特性指標とは、例えば移動体６の当該施設駐車場に駐車した、季節、月、曜日、平日・祝日、及び時間帯等の任意の組み合わせの時間帯における、当該移動体６の駐車時間の平均値や駐車回数等を指す。
また、ユーザの嗜好とは、例えば、休日の昼の時間帯にユーザが好んで停車する施設名称（ＰＯＩ名称）、施設種別（ＰＯＩ種別）及び／又はジャンル（ＰＯＩジャンル）等が挙げられる。
また、ユーザの行動特性とは、例えば、休日の昼の時間帯に、当該施設における車両の平均滞在時間が１時間とした場合に、当該ユーザが平均３０分しか滞在しない場合には、当該ユーザの行動特性としてせっかちであるとし、逆に平均１時間３０分程度滞在する場合には、当該ユーザの行動特性としてのんびりであるとする「せっかち度」が挙げられる。さらに、施設種別毎に、ユーザの平均停車時間を車両の平均停車時間と比較することで、施設種別毎のユーザの行動特性を含むようにしてもよい。
なお、ユーザプロファイル情報の算出処理については、後述する。
【００４３】
＜接続履歴情報エリア１１４＞
記憶部１１の接続履歴情報エリア１１４には、移動体６から定期的に送信される移動体位置情報、時刻情報、目的地情報、及び移動体６の進行方向等を移動体ＩＤ毎に管理する接続履歴レコードが記憶される。移動体位置情報は、移動体６から逐次受信する現在位置の情報を記憶する。なお、受信は数秒に一度受信してもよいし、移動体側で時系列的に保存しておき、一定時間や移動体側でアプリを起動したとき等のタイミングでまとめて受信するようにしてもよい。
また、移動体６から送信される移動体種別情報及び移動体の状態（例えばイグニッションオンされた状態、走行状態、イグニッションオフされた状態等）についても、移動体ＩＤ毎に管理する接続履歴レコードに記憶される。
【００４４】
通信部１２は、車載ナビゲーション装置２及び携帯端末３と送受信する場合には、例えば、３Ｇ及びＬＴＥ等の無線通信をすることができる通信プロトコルを実装する。  
【００４５】
制御部１０はユーザ情報の管理のための各プログラムを実行することによって、サーバシステム１を所定の手段（以下、「ユーザ情報管理制御部」と総称する）として機能させる。
また、制御部１０はユーザ情報の管理のための各プログラムを実行することによって、サーバシステム１に、所定のステップ（以下、「ユーザ情報管理制御ステップ」と総称する）を実行させる。
【００４６】
以下、制御部１０の有する機能をユーザ情報管理制御部の観点から説明する。なお、ユーザ情報管理制御ステップ（方法）の観点に基づく説明は、「部」を「ステップ」に置き換えることで説明できるため、省略する。
【００４７】
図２に示すように、制御部１０は、受信部１０１と、移動体駐車情報特定部１０２と、移動体駐車特性指標算出部１０３と、ユーザプロファイル情報更新部１０４と、推奨施設選択部１０５と、推奨施設提供部１０６と、ナビゲーション部１０７と、を備える。また、ナビゲーション部１０７は、滞在時間見積もり部１０７１を備える。
【００４８】
＜受信部１０１＞
受信部１０１は、移動体６（車載ナビゲーション装置２又は携帯端末３）からのログイン処理を実行して、移動体６と接続処理を行うとともに、移動体６から送信される位置情報、移動体種別情報、時刻情報、進行方向、及び目的地情報等を移動体ＩＤ毎に管理するための接続履歴レコードを、接続履歴情報エリア１１４に作成する。
この場合に、移動体６は、イグニッションスイッチ等の車両５の起動スイッチがオン（エンジンを起動）にされ、車載ナビゲーション装置２が自動起動した直後又は車両５と携帯端末３とがペアリングされた直後に、車両５又は携帯端末３で測位した位置情報に出発位置を表す位置情報であることを示すフラグを追加してサーバシステム１に送信するようにしてもよい。そうすることで、受信部１０１は、移動体６の出発位置を特定することができる。
その後、受信部１０１は、移動体６から定期的に送信される現在位置情報、移動体種別情報、時刻情報、移動体６の進行方向等を、それぞれ前述した接続履歴レコードに追加更新する。なお、受信部１０１は、移動体６から移動体位置情報、及び時刻情報等を数秒に一度受信するようにしてもよいし、また移動体６側で時系列的に保存しておき、一定時間若しくは移動体６側でアプリを起動したとき等のタイミングでまとめて受信するようにしてもよい。また、移動体種別情報については、例えばログイン時にのみ送信されるようにしてもよい。
受信部１０１は、移動体６が目的地に到着してから、イグニッションスイッチがオフ（エンジン停止）にされるまでの間に、移動体６から、送信される現在位置情報、時刻情報、移動体６の進行方向等を接続履歴レコードに追加更新する。
なお、移動体６は、イグニッションスイッチがオフ（エンジン停止）にされる直前に測位された位置情報に駐車位置を表す位置情報であることを示すフラグを追加してサーバシステム１に送信するようにしてもよい。
そうすることで、受信部１０１は、移動体６の最終の位置、すなわち駐車位置を特定することができる。
【００４９】
＜移動体駐車情報特定部１０２＞
移動体駐車情報特定部１０２は、受信部１０１により接続履歴情報エリア１１４に格納された接続履歴レコードを移動体６のイグニッション情報と位置情報とに基づいて、移動体６の駐車した施設駐車場と、移動体６の施設駐車場における駐車情報（施設駐車場に係る施設ＩＤ、駐車日時、駐車時間、及び駐車回数）を特定する。
具体的には、移動体駐車情報特定部１０２は、移動体６の出発位置については、前述したように、位置情報に出発位置を示す情報が含まれているならば、この情報により出発位置を特定することができる。また、位置情報に出発位置を示す情報が含まれていない場合には、移動体駐車情報特定部１０２は、位置情報の送信が開始されて終了するまでの間の、最初に受信した位置情報に対応する位置が出発位置であるとみなすこともできる。
また、移動体駐車情報特定部１０２は、移動体６の駐車した位置については、例えば、上述したように、位置情報に駐車位置を示す情報が含まれているならば、この情報により駐車位置を特定することができる。また、仮に位置情報に駐車位置を示す情報が含まれていない場合には、移動体駐車情報特定部１０２は、位置情報の送信が開始されて終了するまでの間の、最後に受信した位置情報に対応する位置や、一定時間変化しない位置を駐車位置であるとみなすこともできる。
【００５０】
そして、移動体駐車情報特定部１０２は、特定した駐車位置と、地図情報エリア１１１に含まれる各施設の施設駐車場位置とを比較し、特定した駐車位置と何れかの施設駐車場位置が一致した場合に、この経路を、当該施設を訪問するための往路と判定することができる。
また、移動体駐車情報特定部１０２は、特定した出発位置と、地図情報エリア１１１に含まれる各施設の施設駐車場位置を比較し、特定した駐車位置と何れかの施設駐車場位置が一致した場合に、この経路を、当該施設に訪問した後に、当該施設を出発してからの経路である復路と判定することができる。
このように、移動体駐車情報特定部１０２は、接続履歴情報エリア１１４に格納された移動体６の出発位置から駐車位置までの経路情報を示す接続履歴レコードを、時刻情報に沿って順番に処理することにより、自宅や月極駐車場等のプライベートな駐車場を除く、施設駐車場における駐車日時を特定することができる。そして、移動体駐車情報特定部１０２は、到着時刻と出発時刻との差分から駐車時間を算定し、移動体６の施設駐車場における駐車情報（施設駐車場に係る施設ＩＤ、駐車日時、駐車時間、及び駐車回数）を特定することができる。
移動体駐車情報特定部１０２は、移動体６の施設駐車場における駐車情報（施設駐車場に係る施設ＩＤ、駐車日時、駐車時間、及び駐車回数等）を移動体６の識別情報（移動体ＩＤ）に紐づけて、移動体情報エリア１１３に記憶する。
【００５１】
なお、上述した出発位置や駐車位置と、施設駐車場位置との「一致」の度合いは任意に定めるようにしてよい。例えば、車載ナビゲーション装置２や携帯端末３が位置情報を精度良く測定できるような場合には、一致と判定する範囲を狭くするようにしてもよい。一方で、車載ナビゲーション装置２や携帯端末３が位置情報をそれほど精度良く測定できないような場合には、一致と判定する範囲を広くするようにしてもよい。
【００５２】
＜移動体駐車特性指標算出部１０３＞
移動体駐車特性指標算出部１０３は、移動体駐車情報特定部１０２により特定される移動体６の施設駐車場における駐車情報（施設駐車場に係る施設ＩＤ、駐車日時、駐車時間、及び駐車回数等）に基づいて、移動体６の施設駐車場における駐車特性指標を算出する。
具体的には、移動体駐車特性指標算出部１０３は、移動体情報エリア１１３に記憶された移動体６の施設駐車場における駐車情報（施設駐車場に係る施設ＩＤ、駐車日時、駐車時間、及び駐車回数等）を、移動体６の移動体ＩＤに基づいて抽出し、移動体ＩＤ毎に、例えば、施設ＩＤ及び駐車日時毎にデータを昇順ソートすることで、移動体ＩＤにより識別される移動体６の使用者であるユーザの滞在した施設ＩＤ毎の季節、月、曜日、平日・祝日、及び時間帯等の任意の組み合わせの時間帯における、当該移動体６の駐車時間の平均値及び駐車回数を算出する。
また、移動体駐車特性指標算出部１０３は、当該移動体６の滞在した施設駐車場を施設種別及び／又は施設ジャンルでグループ分けして、当該グループに属する全ての施設を対象とした、仮想的な施設駐車場としての施設駐車場グループにおける平均駐車時間及び駐車回数を算出し、当該移動体６の当該施設グループにおける平均駐車時間、駐車回数としてもよい。
【００５３】
例えば、当該移動体６が、同じグループの施設Ａに１時間駐車し、施設Ｂに３０分駐車している場合、施設Ａと施設Ｂを１つの仮想的な施設グループＣとして、当該移動体６の施設グループＣにおける平均駐車時間は４５分、駐車回数２回と算出される。
なお、移動体駐車特性指標算出部１０３は、移動体６の施設駐車場における駐車特性指標の算出にあたっては、例えば、移動体６の使用者であるユーザのライフスタイルの変化や好みの変化等を反映させることができるように、現在を含む所定の期間内に記憶された駐車情報を使用するようにしてもよい。それにより、過去のライフスタイルや好みを排除することができる。
【００５４】
移動体駐車特性指標算出部１０３は、以上のように算出した、施設ＩＤ毎の季節、月、曜日、平日・祝日、及び時間帯等の任意の組み合わせの時間帯における駐車時間の平均値及び駐車回数、並びに施設種別及び／又は施設ジャンル毎の平均駐車時間及び駐車回数を、移動体ＩＤに紐付けてユーザプロファイル情報記憶部１１３１に記憶する。なお、ユーザプロファイル情報記憶部１１３１に記憶するに際して、駐車特性指標を算出した駐車日時の範囲を併せて記憶することが好ましい。それにより、ユーザのライフスタイルの変化や好みの変化等を分析することも可能となる。
【００５５】
＜ユーザプロファイル情報更新部１０４＞
ユーザプロファイル情報更新部１０４は、移動体駐車特性指標算出部１０３により算出された移動体６の施設駐車場における駐車特性指標に基づいて、ユーザプロファイル情報記憶部１１３１に記憶されているユーザプロファイル情報を更新する。
具体的には、ユーザプロファイル情報更新部１０４は、移動体６の施設駐車場における駐車特性指標（例えば季節、月、曜日、平日・祝日、及び時間帯等の任意の組み合わせの時間帯における、駐車時間の平均値）と、施設情報データベース１１２１に記憶された施設駐車場の統計指標（当該施設駐車場における季節、月、曜日、平日・祝日、及び時間帯等の任意の組み合わせの時間帯における、平均駐車時間及び標準偏差値）とを、施設ＩＤによりマッチングすることで、移動体ＩＤにより識別される移動体６の使用者であるユーザの滞在した施設ＩＤ毎に、季節、月、曜日、平日・祝日、及び時間帯等の任意の組み合わせの時間帯における、駐車時間の偏差値を求めることができる。そうすることで、当該移動体６のユーザが当該施設駐車場に駐車した時間が、平均的なユーザの駐車時間と比べて、どの程度長いか又は短いかを判定することができる。
同様に、ユーザプロファイル情報更新部１０４は、前述した移動体６のユーザの滞在した施設グループにおける平均駐車時間と、施設情報データベース１１２１に記憶された、施設駐車場グループにおける平均駐車時間及び標準偏差値に基づいて、移動体６のユーザの滞在した施設グループ別に、季節、月、曜日、平日・祝日、及び時間帯等の任意の組み合わせの時間帯における、駐車時間の偏差値を求める。そうすることで、当該移動体６のユーザが１つの施設グループに駐車した時間が、同一施設グループに駐車した平均的なユーザの駐車時間と比べて、どの程度長いか又は短いかを判定することができる。
【００５６】
なお、駐車時間の偏差値情報をわかりやすく、所定の段階に分けてもよい。例えば、偏差値ｘが４５≦ｘ＜５５をレベル０、４０≦ｘ＜４５をレベル１、３５≦ｘ＜４０をレベル２、３０≦ｘ＜３５をレベル３、ｘ＜３０をレベル４、５５≦ｘ＜６０をレベル−１、６０≦ｘ＜６５をレベル−２、６５≦ｘ＜７０をレベル−３、７０≦ｘをレベル４というようにしてもよい。
また、ユーザプロファイル情報更新部１０４は、駐車回数に基づいて、移動体ＩＤにより識別される移動体６の使用者であるユーザの滞在した施設種別及び／又はジャンル別に、利用頻度情報を算出する。ここで、利用頻度情報は、所定の段階、例えば５段階に分類してもよい。
なお、駐車時間の偏差値情報をそのまま用いてもよい。また、駐車回数をそのまま利用頻度情報としてもよい。
【００５７】
以上のようにして算出される、移動体６の使用者であるユーザの滞在した施設種別及び／又はジャンル別の、季節、月、曜日、平日・祝日、及び時間帯等の任意の組み合わせの時間帯における駐車時間の偏差値情報及び利用頻度情報をユーザプロファイル情報として、ユーザプロファイル情報記憶部１１３１に記憶更新する。
なお、移動体６の使用者であるユーザの滞在した施設種別及び／又はジャンル別の、季節、月、曜日、平日・祝日、及び時間帯等の任意の組み合わせの時間帯における駐車時間の偏差値情報及び利用頻度情報を、それぞれ、ユーザの行動特性（せっかち度）及びユーザの嗜好ともいう。
例えば、駐車時間の偏差値情報を前述したように、段階別に分類した場合、偏差値が小さいほど、すなわち、駐車時間が平均駐車時間と比較して短いほど、（せっかち度）レベルが高いと推定される。
【００５８】
＜推奨施設選択部１０５＞
推奨施設選択部１０５は、ユーザプロファイル情報更新部１０４によって更新される、移動体６の使用者であるユーザに係るユーザプロファイル情報と、施設情報データベース１１２１に記憶されている施設情報に基づいて、ユーザに対して、ユーザの嗜好及びユーザの行動特性に適合するジャンルの施設であって、例えば、現在位置（又はドライブコース)の近くに位置する施設を推奨する施設として選択する。
ここで、移動体６のドライブコースの近くに位置しているとは、例えば、移動体６の現在位置（又はドライブコース）から所定の距離範囲に存在することを指す。また、現在位置から進行方向の現在位置近辺に位置しているとは、例えば、移動体６の現在位置（又はドライブコース）から所定の距離範囲であって、かつ移動体６の現在位置（又はドライブコース）から目的位置に至る通過経路上の地点から所定の距離範囲に存在することを指す。
【００５９】
推奨施設選択部１０５は、例えば、平日／休日別の出発時間帯（午前、昼、午後等）等の時刻情報、移動体６の現在位置（出発位置）情報、並びにユーザプロファイル情報に含まれるユーザの嗜好、ユーザの行動特性に基づいて、施設情報データベース１１２１に記憶されている施設種別及び／又はジャンルと施設駐車場の平均滞在時間とを比較して、施設情報データベース１１２１を検索することで、移動体６に推薦する施設をその表示順序と合わせて、予め設定される第１候補数を選択する。
具体的には、例えば、昼食時間帯に昼食するための施設を検索する際、ユーザの行動特性（せっかち度）が高い場合（すなわち、駐車時間の偏差値が５０未満である場合）、ユーザの嗜好する施設種別及び／又はジャンルに属する施設であって、かつ昼食時間帯に平均駐車時間の短い施設を優先的に推奨施設として選択することができる。
逆に、ユーザの行動特性（せっかち度）が低い場合（すなわち、駐車時間の偏差値が５０を超えている場合）、ユーザの嗜好する施設種別及び／又はジャンルに属する施設であって、かつ昼食時間帯に平均駐車時間の長い施設を優先的に推奨施設として選択することができる。
ここで、条件に合致する施設の数が第１候補数を超える場合、例えば、移動体６の現在位置からの距離等に基づいて（例えば、近い順に）施設数が第１候補数になるように選択するように足きりをしてもよい。また、移動体６に対応するユーザの嗜好の大きさに基づいて（例えば、利用頻度情報の大きい順に）施設数が第１候補数になるように選択してもよい。
逆に、前記条件に合致する施設の数が第１候補数未満の場合、例えば、移動体６の現在位置からの距離を長くして、選択するようにしてもよい。その際、距離を長くするにあたっては、所定の長さを超えないようにすることが好ましい。なお、移動体６の現在位置近辺に位置している施設が少ない場合もありえることから、条件に合致する施設の数が第１候補数未満の場合も許容する。
【００６０】
＜推奨施設提供部１０６＞
推奨施設提供部１０６は、推奨施設選択部１０５により選択され推奨される施設の施設情報をユーザプロファイル情報と紐づけられた移動体６に対して送信する。
例えば、推奨施設提供部１０６は、推奨施設選択部１０５によって選択された第１候補数の施設の表示順序を決定する。具体的には、推奨施設提供部１０６は、施設情報データベース１１２１を参照して、推奨施設選択部１０５によって選択された各施設のユーザの嗜好の大きさに基づいて（例えば、利用頻度情報の大きい順に）施設の表示順序を決定するようにする。なお、推奨施設提供部１０６は、施設情報データベース１１２１を参照して、推奨施設選択部１０５によって選択された各施設の平均駐車時間の大きさに基づいて（例えば、平均駐車時間の小さい順に）施設の表示順序を決定するようにしてもよい。
推奨施設提供部１０６は、推奨施設選択部１０５により選択された施設情報をその表示順序と合わせて、移動体６（車載ナビゲーション装置２又は携帯端末３）に通信部１２を介して送信する。
なお、推奨施設提供部１０６は、移動体６から推奨施設情報要求を受信してから、予め設定された時間（例えば、３０分間）、予め設定された時間間隔（例えば５分間隔）で、推奨施設提供部１０６により検索抽出した推奨施設情報を送信するように構成してもよい。
【００６１】
＜ナビゲーション部１０７＞
ナビゲーション部１０７は、出発位置から、立ち寄り地点を経由して、目的地までのルートと所要時間とを算出する。そして、ナビゲーション部１０７は、通信部１２を介して、算出したルート情報を移動体６（車載ナビゲーション装置２又は携帯端末３）に送信する。
具体的には、ナビゲーション部１０７は、例えば、移動体６の現在位置から目的地として設定した施設までのルート情報を算出する。ルート情報の算出に際しては、記憶部１１の地図情報エリア１１１等に記憶されている交通情報や地図情報を用いて、到着時刻や有料道路の使用有無等の各種条件を加味したうえで最適なルートを算出する。
ここで最適なルートとは、例えば最も到着時間が短くなる、距離が最も短い、一般道路を優先する、有料道路を優先する、有料道路等の料金が少ない、ＣＯ２排出量が少ない等、ユーザの指定する目的とする条件を最も満たすルートのことである。
【００６２】
＜滞在時間見積もり部１０７１＞
なお、立ち寄り地点を設定して、設定した立ち寄り地点を経由して目的地に到着する場合、ナビゲーション部１０７は、立ち寄り地点とそこでの滞在時間の推定に基づいて、出発位置から、立ち寄り地点で滞在して、その後目的地に到着する間でのルートと所要時間を算出するように構成してもよい。
このため、ナビゲーション部１０７は、滞在時間見積もり部１０７１を備える。ここで、滞在時間見積もり部１０７１は、出発位置から目的地までのルートにおいて立ち寄り施設が設定された場合、施設情報データベース１１２１に記憶されている当該立ち寄り施設の施設駐車場の統計指標と、移動体６のユーザのユーザプロファイル情報と、に基づいて、当該立ち寄り施設における滞在時間を見積もる。
具体的には、滞在時間見積もり部１０７１は、移動体６のユーザの当該立ち寄り施設の属する施設種別情報及び／又は施設ジャンル毎（又は前述した施設グループ毎）のユーザの行動特性（せっかち度）に応じて、当該立ち寄り施設の施設駐車場での平均駐車時間を補正する。
例えば、ユーザの行動特性（せっかち度）が大きい場合、せっかち度に対応する標準正規分布に基づいて、平均ユーザの平均駐車時間より短い滞在時間に補正する。
なお、滞在時間見積もり部１０７１は、ナビゲーション部１０７が備える構成に限定されない。例えば、ナビゲーション部１０７とは独立に制御部１０が備えるようにしてもよい。
【００６３】
また、出発位置から目的地までのルートにおいて立ち寄り施設を設定する場合、ナビゲーション部１０７は、前述した推奨施設提供部１０６により提供される、ユーザの嗜好及びユーザの行動特性に適合するジャンルの施設であって、例えば、ドライブコースの近くに位置する推奨施設を立ち寄り施設として設定してもよい。
この場合、ナビゲーション部１０７は、例えば、推奨施設選択部１０５に対して、出発位置と目的地を提示することで、推奨施設提供部１０６から出発位置と目的地間でのルートの近くに位置する推奨施設情報を取得するようにしてもよい。
そうすることで、滞在時間見積もり部１０７１は、出発位置から目的地までのルートにおいて推奨施設提供部１０６により提供される立ち寄り施設における滞在時間をユーザの行動特性（せっかち度）に応じて見積もることで、ナビゲーション部１０７は、立ち寄り地点とそこでの滞在時間の推定に基づいて、出発位置から、立ち寄り地点で滞在して、その後目的地に到着する間でのルートと所要時間を算出することができる。そうすることで、所要時間の予測精度を向上させることができる。
【００６４】
＜別実施例＞
なお、別実施例として、ルート算出を移動体６（車載ナビゲーション装置２又は携帯端末３）で行う場合、ナビゲーション部１０７は、出発位置、目的地、及び立ち寄り施設の施設駐車場位置情報とそこでの滞在時間を含むルート情報を車載ナビゲーション装置２又は携帯端末３に送信する。
そうすることで、移動体６（車載ナビゲーション装置２又は携帯端末３）は、出発位置から、立ち寄り地点で滞在して、その後目的地に到着する間でのルートと所要時間を算出することができる。
【００６５】
＜車載ナビゲーション装置２＞
次に車載ナビゲーション装置２について説明する。図３に、車載ナビゲーション装置２の構成を示す。
図３に示すように、車両５に搭載される車載ナビゲーション装置２は、少なくとも、制御部２０と、記憶部２１と、無線部２２と、センサ部２３と、表示部２４と、入力部２５とを備える。
【００６６】
制御部２０はマイクロプロセッサ等から構成され、各構成部の制御を行う。詳細については、後述する。
【００６７】
記憶部２１は半導体メモリ等で構成されており、オペレーティングシステム（ＯＳ）や施設情報表示、ルート案内等のための各プログラム、さらに地図情報や位置情報等、種々の情報が記憶される。なお、地図情報については、記憶部２１に予め記憶しておく構成、又はサーバシステム１から取得する構成でもよい。
【００６８】
無線部２２は、ＤＳＰ（Ｄｉｇｉｔａｌ  Ｓｉｇｎａｌ  Ｐｒｏｃｅｓｓｏｒ）等を有し、３ＧやＬＴＥ等の携帯電話網に代表される無線通信網を通じて無線通信を行い、サーバシステム１と無線通信を行うことが可能に構成されている。
無線部２２は、車両５を識別する識別番号（以下、「車両ＩＤ」ともいう）、パスワード、移動体種別情報、車両５の現在位置情報、現在時刻情報、及び推奨施設情報要求等をサーバシステム１に送信し、車両５の現在位置周辺及び走行ルート周辺に存在する推奨施設情報をその表示順序と合わせてサーバシステム１から受信することができる。
【００６９】
センサ部２３は、車両５に備えられたＧＰＳセンサ、車速センサ、ジャイロセンサ等から構成される。センサ部２３は、現在位置を検出する位置検出手段としての機能を備え、ＧＰＳセンサによりＧＰＳ衛星信号を受信し、車両５の現在位置（緯度及び経度）を測位する。また、車速センサ、ジャイロセンサ、地磁気センサ等を備えることにより自律航法によって車両５の現在位置を測位することができ、ＧＰＳセンサがＧＰＳ衛星信号から測位できない場合に、これに代わって現在位置を測位することができる。
また、ＧＰＳ通信が不可能な場合、ＡＧＰＳ（Ａｓｓｉｓｔｅｄ  Ｇｌｏｂａｌ  Ｐｏｓｉｔｉｏｎｉｎｇ  Ｓｙｓｔｅｍ）通信を利用し、無線部２２から取得される基地局情報によって車両５の現在位置を算出することも可能である。
【００７０】
表示部２４は、液晶ディスプレイ又は有機ＥＬパネル等の表示デバイスにより構成され、制御部２０からの指示を受けて画像を表示する。表示部２４は、車両５の現在位置、記憶部２１から読み出された車両５の現在位置周辺の地図情報、無線部２２を介してサーバシステム１から取得した、表示順序を含む施設情報、ユーザにより設定された目的地、ルート情報等の各種情報を表示することができる。
【００７１】
入力部２５は、テンキーと呼ばれる物理スイッチや表示部２４の表示面に重ねて設けられたタッチパネル等の入力装置（図示せず）等で構成される。入力部２５からの操作入力、例えばユーザによるテンキーの押下、タッチパネルのタッチに基づいた信号を制御部２０に出力することで、地図表示と施設情報表示の切替、施設情報表示のスクロール、立ち寄る施設決定、地図の拡大縮小等の操作を行うことができる。
なお、この他、図示しないが、スピーカ１６、マイク１７を備えることができる。スピーカ１６は、運転者に対して音声出力を行い、マイク１７は、運転者によって発せられた音声等を集音する。
そうすることで、情報をスピーカ１６から音声で出力し、マイク１７を介して音声入力された運転者（又はユーザ）による各種の選択、指示を音声認識技術により、制御部２０に入力することもできる。
【００７２】
制御部２０はＣＰＵ、ＲＡＭ、ＲＯＭ、Ｉ／Ｏ等を有するマイクロプロセッサにより構成される。ＣＰＵは、ＲＯＭ又は記憶部２１から読み出した各プログラムを実行し、その実行の際にはＲＡＭ、ＲＯＭ、及び記憶部２１から情報を読み出し、ＲＡＭ及び記憶部２１に対して情報の書き込みを行い、無線部２２、センサ部２３、表示部２４、及び入力部２５と信号の授受を行う。
【００７３】
制御部２０は、各プログラム（以下、「推奨施設情報表示制御アプリケーション」とも総称する）を実行することによって、車載ナビゲーション装置２に所定の手段（以下、「推奨施設情報表示制御部」と総称する）として機能させる。例えば、推奨施設情報表示制御のためのプログラムを起動すると、サーバシステム１からの推奨施設情報の提供を受ける施設案内が可能となる。
また、制御部２０は各プログラムを実行することによって、車載ナビゲーション装置２に、所定の手順（以下、「推奨施設情報表示制御手順」と総称する）を実行させる。
【００７４】
以下、制御部２０の有する機能を推奨施設情報表示制御部の観点から説明する。なお、推奨施設情報表示制御手順（方法）の観点に基づく説明は、「部」を「手順」に置き換えることで説明できるため、省略する。
【００７５】
図３に示すように、制御部２０は、接続処理部２０１と、位置情報更新部２０２と、推奨施設情報要求部２０３と、推奨施設表示部２０４と、ルート案内部２０５と、を備える。
【００７６】
＜自動起動＞
車載ナビゲーション装置２は、運転者により車両５のイグニッションスイッチがオン（エンジンを始動）にされることによって自動起動する。車載ナビゲーション装置２は、運転者により車両５のイグニッションスイッチがオフ（エンジンを停止）にされるまで稼働する。
【００７７】
＜接続処理部２０１＞
接続処理部２０１は、車載ナビゲーション装置２が自動起動されると、サーバシステム１に対して、例えば、車両５を識別する識別番号（車両ＩＤ）及びパスワードを用いてログイン処理を実行し、移動体種別情報、センサ部２３により算出した車両５の現在位置情報、及び計時部（図示せず）から取得した現在時刻情報等をサーバシステム１に送信する。
【００７８】
＜位置情報更新部２０２＞
位置情報更新部２０２は、定期的に、車両ＩＤ、センサ部２３により算出した車両５の現在位置情報、及び計時部（図示せず）から取得した現在時刻情報等をサーバシステム１に送信する。なお、送信される情報として、センサ部２３により算出した車両５の進行方向を含むことができる。
位置情報更新部２０２は、所定の時間間隔（例えば３秒間隔）で取得する車両５の現在位置情報及び現在時刻情報等を、その都度リアルタイムにサーバシステム１に送信する。また、リアルタイムにサーバシステム１に送信する替わりに、複数個まとめて（例えば５分間分の車両５の現在位置情報及び現在時刻情報等をまとめて）、一度に送信（いわゆるバースト送信）するようにしてもよい。
なお、車両５の現在位置情報等の取得時間間隔（例えば、３秒間隔）、又は複数個まとめてバースト送信する場合の一度に送信する個数等については、予め設定することができる。
また、車両５の進行方向を含めることで、サーバシステム１が、車両５の現在位置から進行方向に一定距離内にある施設を候補として提示することを可能とする。そうすることで、車両５の進行方向から車両５を引き返す必要のある施設を候補として提示することを防ぐことが可能となる。
【００７９】
なお、後述するルート案内部２０５により車両５が施設等の目的地に到着したと判断してから、イグニッションスイッチがオフ（エンジン停止）されるまでの間に、位置情報更新部２０２は、車両ＩＤ、センサ部２３により算出した車両５の現在位置情報、及び計時部（図示せず）から取得した現在時刻情報等をサーバシステム１に送信することができる。
【００８０】
＜推奨施設情報要求部２０３＞
推奨施設情報要求部２０３は、図４Ａに示すように、表示部２４に、例えば「推奨施設情報要求ＯＮ」ボタンを表示して、ユーザによる当該ボタンのタッチ操作により、推奨施設情報要求をオンに操作された場合、無線部２２を介して、推奨施設情報要求を、サーバシステム１に送信する。ここで、推奨施設情報要求は、少なくとも車両ＩＤ、移動体種別情報、センサ部２３により算出した車両５の現在位置情報、及び計時部（図示せず）から取得した現在時刻情報等を含む。なお、入力部２５を介して、推奨施設情報要求をオンにすることができる。
なお、例えば、施設の施設種別一覧を表示部２４に表示し、ユーザに施設の施設種別を選択させることで、当該選択された施設種別に属する施設の推奨施設情報要求を行うことができる。
【００８１】
推奨施設表示部２０４は、推奨施設情報要求後に、サーバシステム１から、例えば、車両５の現在位置周辺及び走行ルート周辺に存在する推奨施設に関する施設情報を、予め設定された時間（例えば、３０分間）、予め設定された時間間隔（例えば５分間隔）で受信するようにしてもよい。なお、カッコ内に記載の時間及び時間間隔は一例であり、限定されるものではない。
【００８２】
＜推奨施設表示部２０４＞
推奨施設表示部２０４は、サーバシステム１から配信される、例えば車両５の現在位置周辺及び走行ルート周辺に存在する推奨施設に関する施設情報を第１候補数分、無線部２２を介して受信する。なお、施設情報は、前述のとおり、予め設定された時間（例えば、３０分間）に予め設定された時間間隔（例えば５分間隔）で配信されるようにしてもよい。
ここで、施設情報は、例えば、施設の識別情報、名称、施設種別（及び／又はジャンル）、電話番号、住所、例えば緯度経度等で特定される位置情報、施設の提供するサービス（商品及び／又は役務）等に関する情報、空き情報、及びクーポン券発行情報等を含むことができる。
【００８３】
推奨施設表示部２０４は、配信された施設情報を表示順序にしたがって表示部２４に表示する。より具体的には、推奨施設表示部２０４は、例えば、図４Ｂに示すように、表示順序１番目の施設から表示順序ｎ番目（ｎは１以上の予め設定された整数）の施設を同時に表示することができる。図４Ｂの例では、ｎ＝１としているが、例えば、ｎを複数に設定してもよい。なお、図示しないが、上記のように表示された施設情報を例えばタップすることで、当該施設情報の詳細を表示するようにしてもよい。
また、図示しないが、例えば所定のスワイプ操作（例えば左右のスワイプ操作）等によりスクロール又は次画面表示を行うことで、表示順序ｎ＋１番目以降の施設情報を表示するようにしてもよい。
【００８４】
推奨施設表示部２０４は、表示部２４に表示した車両５の現在位置周辺の地図上に配信された施設の位置を表示することができる。より具体的には、推奨施設表示部２０４は、例えば図４Ｃに示すように、車両５の現在位置周辺の地図上に配信された施設の位置情報を表示することができる。この際、推奨施設表示部２０４は、地図上に表示される施設を当該施設の表示順序に基づいて、表示順序に対応付けて異なる色（又は、異なる濃度）等により表示するようにしてもよい。そうすることで、施設の表示順序（ユーザ属性との適合度）を地図表示においても直感的に把握することが可能となる。
推奨施設表示部２０４は、表示部２４に、地図表示と、前述した施設情報と、を同時に表示するようにしてもよい。また、推奨施設表示部２０４は、所定のスワイプ操作（例えば、上下のスワイプ操作）により、地図表示と施設情報表示とを切り替えるようにしてもよい。
なお、左右又は上下のスワイプ操作を一例として挙げたが、これに代えて例えば、シングルタッチによるスワイプ操作又はマルチタッチによるスワイプ操作による画面表示を行うようにしてもよい。
また、図示しないが、表示部２４の表示領域を２分割して、分割したそれぞれの表示領域に車両５の現在位置周辺の地図上に配信された施設の位置、及び配信された施設情報を表示するようにしてもよい。
【００８５】
推奨施設表示部２０４は、例えばタップ操作等により、ユーザに立ち寄りたい施設を選択させることができる。推奨施設表示部２０４は、無線部２２を介して、ユーザにより選択された施設を、サーバシステム１に送信することができる。
なお、サーバシステム１から配信された施設情報をスピーカ１６から音声で出力し、施設選択をマイク１７を介して音声入力することで、音声認識技術により、制御部２０に入力するように構成することもできる。
【００８６】
＜ルート案内部２０５＞
ルート案内部２０５は、サーバシステム１から、推奨施設表示部２０４によって選択された施設を目的地とするルート情報を無線部２２を介して受信する。ルート案内部２０５は、受信したルート情報に基づいて、ルート案内を実行する。
なお、別実施例として、ルート情報は、サーバシステム１から受信するのに換えて、車載ナビゲーション装置２（例えば、ルート案内部２０５）により算出するようにしてもよい。
【００８７】
なお、前述したように、ルート案内部２０５により車両５が施設等の目的地に到着したと判断してから、イグニッションスイッチがオフ（エンジン停止）されるまでの間に、位置情報更新部２０２は、車両ＩＤ、センサ部２３により算出した車両５の現在位置情報、及び計時部（図示せず）から取得した現在時刻情報等をサーバシステム１に送信することができる。
【００８８】
＜携帯端末３＞
次に、携帯端末３について説明する。図５に携帯端末３の構成を示す。
図５に示すように、携帯端末３は、少なくとも、制御部３０と、記憶部３１と、無線部３２と、センサ部３３と、表示部３４と、入力部３５とを備える。
【００８９】
制御部３０はマイクロプロセッサ等から構成され、各構成部の制御を行う。詳細については、後述する。
【００９０】
記憶部３１は半導体メモリ等で構成されており、オペレーティングシステム（ＯＳ）やルート案内のための各プログラム、さらに地図情報、道路リンク情報、及び位置情報等、種々の情報が記憶される。なお、地図情報、道路リンク情報等については、記憶部３１に予め記憶しておく構成でもよい。また、サーバシステム１から適宜取得する構成でもよい。
【００９１】
無線部３２は、ＤＳＰ（Ｄｉｇｉｔａｌ  Ｓｉｇｎａｌ  Ｐｒｏｃｅｓｓｏｒ）等を有し、３ＧやＬＴＥ等の携帯電話網に代表される無線通信網を通じて無線通信を行い、サーバシステム１と無線通信を行うことが可能に構成されている。
無線部３２は、携帯端末３の現在位置情報、サービス加入状態を識別するＩＤ（以下、「ユーザＩＤ」という）やパスワード、目的地として設定した施設情報等をサーバシステム１に送信し、施設情報や施設の電子クーポン情報、さらにルート情報等をサーバシステム１から受信することができる。
【００９２】
センサ部３３は、ＧＰＳセンサ、ジャイロセンサ、地磁気センサ等から構成される。センサ部３３は、現在位置を検出する位置検出手段としての機能を備え、ＧＰＳセンサによりＧＰＳ衛星信号を受信し、携帯端末３の現在位置（緯度及び経度）を測位する。
また、ＧＰＳ通信が不可能な場合、ＡＧＰＳ（Ａｓｓｉｓｔｅｄ  Ｇｌｏｂａｌ  Ｐｏｓｉｔｉｏｎｉｎｇ  Ｓｙｓｔｅｍ）通信を利用し、無線部３２から取得される基地局情報によって車両５の現在位置を算出することも可能である。
【００９３】
表示部３４は、液晶ディスプレイ、又は有機ＥＬパネル等の表示デバイスにより構成され、制御部３０からの指示を受けて画像を表示する。表示部３４は、携帯端末３の現在位置、記憶部３１から読み出された携帯端末の現在位置周辺の地図情報、無線部３２を介してサーバシステム１から取得した施設情報、ユーザにより設定された目的地、ルート情報等の各種情報を表示する。
【００９４】
入力部３５は、テンキーと呼ばれる物理スイッチや表示部３４の表示面に重ねて設けられたタッチパネル等の入力装置（図示せず）等で構成される。入力部３５からの操作入力、例えばユーザによるテンキーの押下、タッチパネルのタッチに基づいた信号を制御部３０に出力することで、立ち寄る施設決定、地図の拡大縮小等の操作を行うことができる。
【００９５】
携帯端末３は、例えばＮＦＣ（Ｎｅａｒ  Ｆｉｅｌｄ  Ｃｏｍｍｕｎｉｃａｔｉｏｎ）と呼ばれる非接触通信又は有線による近距離通信部２６を備えることができる。
そして、車輌が近距離通信部を備え、例えば車両５のＥＣＵ（Ｅｌｅｃｔｒｏｎｉｃ  Ｃｏｎｔｒｏｌ  Ｕｎｉｔ）が携帯端末３と、近距離通信部２６を介して、通信することができる場合、携帯端末３は、移動体種別情報や車両５の状態（例えばイグニッションオンされた状態、走行状態、イグニッションオフされた状態等）を取得することができる。なお、車両５がＧＰＳセンサを備える場合、携帯端末３は、車両５のＧＰＳセンサにより測位された車両５の位置情報を取得するようにしてもよい。
より具体的には、ユーザが携帯端末３を所持して車両５に乗車し、イグニッションスイッチ等の車両５の起動スイッチをオンにすると、車両５と携帯端末３とがペアリングされ、車両５又は携帯端末３で測位した位置情報が携帯端末３からサーバシステム１にアップロードするようにできる。さらに、起動スイッチがオフにされると、車両５と携帯端末３とのペアリングが解除され、解除された時の位置が最終の車両位置、すなわち駐車位置としてサーバシステム１にアップロードするようにできる。
【００９６】
制御部３０はＣＰＵ、ＲＡＭ、ＲＯＭ、Ｉ／Ｏ等を有するマイクロプロセッサにより構成される。ＣＰＵは、ＲＯＭ又は記憶部３１から読み出した各プログラムを実行し、その実行の際にはＲＡＭ、ＲＯＭ、及び記憶部３１から情報を読み出し、ＲＡＭ及び記憶部３１に対して情報の書き込みを行い、無線部３２、センサ部３３、表示部３４、及び入力部３５と信号の授受を行う。
【００９７】
制御部３０は、各プログラム（以下、「携帯端末＿推奨施設情報表示制御アプリケーション」とも総称する）を実行することによって、携帯端末３を所定の手段（以下、「携帯端末＿推奨施設情報表示制御」とも総称する）として機能させる。例えば、推奨施設情報表示制御のためのプログラムを起動すると、サーバシステム１からの推奨施設情報の提供を受ける施設案内が可能となる。なお、携帯端末＿施設情報配信アプリケーションの機能は、基本的に車載ナビゲーション装置２の施設情報配信アプリケーションと同等である。
また、制御部３０は各プログラムを実行することによって、携帯端末３に、所定の手順（以下、「推奨施設情報表示制御手順」と総称する）を実行させる。
【００９８】
以下、制御部３０の有する機能を携帯端末＿推奨施設情報表示制御部の観点から説明する。なお、携帯端末＿推奨施設情報表示制御手順（方法）の観点に基づく説明は、「部」を「手順」に置き換えることで説明できるため、省略する。
【００９９】
図５に示すように、制御部３０は、携帯端末＿接続情報取得部３００と、携帯端末＿接続処理部３０１と、携帯端末＿位置情報更新部３０２と、携帯端末＿推奨施設情報要求部２０３と、携帯端末＿推奨施設表示部３０４と、携帯端末＿ルート案内部３０５と、携帯端末＿接続情報取得部３０６と、を備える。
ユーザがイグニッションスイッチ等の車両５の起動スイッチをオンにすると、車両５と携帯端末３とがペアリングされ、携帯端末＿施設情報配信部が起動するように構成される。また、イグニッションスイッチ等の車両５の起動スイッチをオフにされると、車両５と携帯端末３とがペアリングが解消され、携帯端末＿施設情報配信部はその機能を停止する。
【０１００】
＜携帯端末＿接続情報取得部３００＞
携帯端末＿接続情報取得部３００は、近距離通信部２６を介して、車両５のＥＣＵ（Ｅｌｅｃｔｒｏｎｉｃ  Ｃｏｎｔｒｏｌ  Ｕｎｉｔ）と通信することで、移動体種別情報や車両５の状態（例えばイグニッションオンされた状態、走行状態、イグニッションオフされた状態等）を取得する。また、車両５がＧＰＳセンサを備える場合、携帯端末＿接続情報取得部３００は、車両５のＧＰＳセンサにより測位された車両５の位置情報を取得するようにしてもよい。
携帯端末＿接続情報取得部３００は、車両５のＥＣＵから取得した移動体種別情報や車両５の状態（例えばイグニッションオンされた状態、走行状態、イグニッションオフされた状態等）を、後述する携帯端末＿接続処理部３０１及び携帯端末＿位置情報更新部３０２に提供することで、携帯端末＿接続処理部３０１及び携帯端末＿位置情報更新部３０２は、サーバシステム１に対して、移動体種別情報、車両５の状態等を送信することができる。
【０１０１】
＜携帯端末＿接続処理部３０１＞
携帯端末＿接続処理部３０１は、車両５とペアリングされると、ＧＰＳセンサ等をＯＮにするとともに、移動体６を識別する識別番号（移動体ＩＤ）及びパスワードを用いてログイン処理を実行し、携帯端末＿接続情報取得部３００を介して取得した移動体種別情報、センサ部１３により算出した車両５の現在位置情報、及び計時部（図示せず）から取得した現在時刻情報等をサーバシステム１に送信する。
【０１０２】
＜携帯端末＿位置情報更新部３０２＞
携帯端末＿位置情報更新部３０２は、車載ナビゲーション装置２の位置情報更新部２０２と同等の機能を有する。車載ナビゲーション装置２及び位置情報更新部２０２を、それぞれ携帯端末３及び携帯端末＿位置情報更新部３０２に読み替えることで、その機能を説明することができる。例えば、携帯端末＿位置情報更新部３０２は、車載ナビゲーション装置２の位置情報更新部と同様に、定期的に、移動体ＩＤ、センサ部３３により算出した携帯端末３の現在位置情報、及び計時部（図示せず）から取得した現在時刻情報等をサーバシステム１に送信する。なお、送信情報として、センサ部３３により算出した携帯端末３の進行方向、携帯端末＿接続情報取得部３００により車両５のＥＣＵから取得した移動体種別情報、車両５の状態等を含むことができる。
【０１０３】
＜携帯端末＿推奨施設情報要求部３０３＞
携帯端末＿推奨施設情報要求部３０３は、車載ナビゲーション装置２の推奨施設情報要求部２０３と同等の機能を有する。車載ナビゲーション装置２及び推奨施設情報要求部２０３を、それぞれ携帯端末３及び携帯端末＿推奨施設情報要求部３０３に読み替えることで、その機能を説明することができるため、詳細な説明は省略する。
【０１０４】
＜携帯端末＿推奨施設表示部３０４＞
携帯端末＿推奨施設表示部３０４は、車載ナビゲーション装置２の推奨施設表示部２０４と同等の機能を有するため、車載ナビゲーション装置２及び推奨施設表示部２０４を、それぞれ携帯端末３及び携帯端末＿推奨施設表示部３０４に読み替えることで、その機能を説明することができるため、その詳細な説明は省略する。
なお、携帯端末＿推奨施設表示部３０４は、選択された当該施設のクーポン情報等を、携帯端末３の記憶部に記憶する。
そうすることで、当該施設に入店した際に、当該施設のクーポン情報を表示部３４に表示することで、クーポン情報記載の優待条件を受けることが可能となる。
【０１０５】
＜携帯端末＿ルート案内部３０５＞
携帯端末＿ルート案内部３０５は、携帯端末＿推奨施設表示部３０４によって選択された施設を目的地とするルート情報を無線部３２を介して受信することができる。携帯端末＿ルート案内部３０５は、受信したルート情報に基づいて、ルート案内を実行することができる。携帯端末＿ルート案内部３０５は、車載ナビゲーション装置２のルート案内部２０５と同等の機能を有する。車載ナビゲーション装置２及びルート案内部２０５を、それぞれ携帯端末３及び携帯端末＿ルート案内部３０５に読み替えることで、その機能を説明することができるため、その詳細な説明は省略する。
なお、携帯端末３によるルート案内を開始した場合は、ユーザが車両５から下車後に、徒歩や公共交通機関を使用した場合でもルート案内を続けることが可能となる。
また、別実施例として、ルート情報は、サーバシステム１から受信するのに換えて、携帯端末３（例えば、携帯端末＿ルート案内部３０５）により算出するようにしてもよい。
携帯端末３のルート案内部２０５によるルート案内を利用しない場合は、携帯端末＿ルート案内部３０５のタスクを終了させてもよい。
【０１０６】
以上、本発明のユーザ情報管理システム１００の各機能部の実施形態を、サーバシステム１、車両５に搭載される車載ナビゲーション装置２、又は車両５と信号接続（ペアリング）された携帯端末３の構成に基づいて説明した。
【０１０７】
（ユーザ情報管理システム１００の動作）
以上、ユーザ情報管理システム１００の構成について説明した。続いて、ユーザ情報管理システム１００の動作について車載ナビゲーション装置２を例として説明する。
まず、移動体６の出発位置から駐車位置までの接続履歴レコード情報を記録する受信部１０１の処理の流れについて説明する。図６は、移動体６の出発位置から駐車位置までの接続履歴レコード情報を記録する受信部１０１の処理の流れを示すフローチャートである。
【０１０８】
図６を参照すると、ステップＳ１０１において、車載ナビゲーション装置２は、運転者により車両５（移動体６）のイグニッションスイッチがオン（エンジンを始動）にされることによって自動起動し、車載ナビゲーション装置２（接続処理部２０１）は、サーバシステム１に移動体ＩＤ及びパスワードを用いてログイン要求（接続要求）を送信し、移動体種別情報、移動体６の現在位置及び現在時刻等を送信する。
【０１０９】
ステップＳ２０１において、サーバシステム１（受信部１０１）は、車載ナビゲーション装置２と接続処理を行い、車載ナビゲーション装置２から受信した移動体ＩＤをキーとして、移動体種別情報、現在位置及び現在時刻等を管理するための接続履歴レコードを、接続履歴情報エリア１１４に作成する。
【０１１０】
ステップＳ１０２において、車載ナビゲーション装置２（位置情報更新部２０２）は、定期的に（所定の周期で）、イグニッションスイッチがオフ（エンジン停止）されるまで、移動体ＩＤ、車両５の現在位置情報、現在時刻情報、及び進行方向等をサーバシステム１に送信する。
【０１１１】
ステップＳ２０２において、サーバシステム１（受信部１０１）は、車載ナビゲーション装置２から、移動体ＩＤ、現在位置情報、現在時刻情報、及び進行方向等の情報を受信した場合、当該移動体ＩＤをキーとする接続履歴レコードに追記して記憶する。
【０１１２】
ステップＳ１０３において、車両５は最終位置（駐車場）に到着していない場合（イグニッションスイッチがオン状態であることから）、ステップＳ１０２に処理が移る。車両５が最終位置（駐車場）に到着した場合、（運転者によって）ステップＳ１０４に処理が移る。
【０１１３】
ステップＳ１０４において、車載ナビゲーション装置２は、運転者により車両５のイグニッションスイッチがオフ（エンジンを停止）にされることによって稼働を停止する。
【０１１４】
なお、図示しないが、車載ナビゲーション装置２が、目的地を設定して目的地までルート案内する場合は、ステップＳ１０３において、車載ナビゲーション装置２（ルート案内部２０５）により車両５が目的地に到着したと判断した場合、イグニッションスイッチがオフ（エンジン停止）されるまでの間に、ステップＳ１０２において、車載ナビゲーション装置２（位置情報更新部２０２）は、例えば、位置情報に駐車情報を示すフラグを追加して、移動体ＩＤ、車両５の現在位置情報、現在時刻情報、及び進行方向等をサーバシステム１に送信するように構成することができる。
【０１１５】
そうすることで、ステップＳ２０２において、サーバシステム１（受信部１０１）は、移動体６の最終位置（駐車場）を特定することができる。
以上の処理フローにより、サーバシステム１（受信部１０１）は、移動体６の出発位置から駐車位置までの接続履歴レコード情報を取得する。
【０１１６】
次に、サーバシステム１（移動体駐車情報特定部１０２、移動体駐車特性指標算出部１０３、及びユーザプロファイル情報更新部１０４）により、接続履歴情報エリア１１４に記録された接続履歴レコードに基づいて、移動体６の施設駐車場における駐車情報（施設駐車場に係る施設ＩＤ、駐車日時、駐車時間、及び駐車回数等）を特定するとともに、駐車特性指標を算出し、ユーザプロファイル情報を作成更新する処理の流れについて説明する。ユーザプロファイル情報を作成更新する処理の流れを説明する。図７は、ユーザプロファイル情報を作成更新する処理の流れを示すフローチャートである。
【０１１７】
図７を参照すると、ステップＳ２１１において、サーバシステム１（移動体駐車情報特定部１０２）は、移動体ＩＤ毎に、接続履歴情報エリア１１４に記録された接続履歴レコードを抽出し、時刻順（昇順）にソートする。
【０１１８】
ステップＳ２１２において、サーバシステム１（移動体駐車情報特定部１０２）は、移動体ＩＤ毎に時刻順にソートされた接続履歴レコードから、ドライブの出発情報（出発位置情報及び出発日時）と、ドライブの到着情報（最終位置情報と到着日時）を時刻順に抽出する。
【０１１９】
ステップＳ２１３において、サーバシステム１（移動体駐車情報特定部１０２）は、ステップＳ２１２において、移動体ＩＤ毎に抽出された全てのドライブ毎に、ドライブの到着日時とその直後のドライブの出発日時とから差分を取って、移動体ＩＤ毎に駐車位置情報と駐車時間とを含む駐車情報を算出する。
【０１２０】
ステップＳ２１４において、サーバシステム１（移動体駐車情報特定部１０２）は、ステップＳ２１３で移動体ＩＤ毎に算出された各駐車位置情報と地図情報エリア１１１又は施設情報データベース１１２１に記録されている施設駐車場位置情報とのマッチングを行うことにより、移動体ＩＤ毎に駐車した施設駐車場（施設ＩＤ）を特定する。なお、マッチングにより自宅駐車場や月極駐車場は除かれる。
【０１２１】
ステップＳ２１５において、施設駐車場の特定された（すなわち、施設ＩＤの特定された）駐車情報を移動体６の識別情報（移動体ＩＤ）に紐づけて、移動体情報エリア１１３に記憶する。
【０１２２】
ステップＳ２１６において、サーバシステム１（移動体駐車特性指標算出部１０３）は、移動体ＩＤ毎に、移動体情報エリア１１３に記憶された移動体６の施設駐車場における駐車情報を抽出し、施設ＩＤ、時刻順（昇順）にソートする。
【０１２３】
ステップＳ２１７において、サーバシステム１（移動体駐車特性指標算出部１０３）は、施設ＩＤ毎に、当該移動体６の当該施設駐車場における駐車特性指標を算出する。
具体的には、当該移動体６の当該施設駐車場における、例えば季節、月、曜日、平日・祝日、及び時間帯等の任意の組み合わせの時間帯における平均滞在時間、最大滞在時間、及び駐車回数等を算出して、ユーザプロファイル情報記憶部１１３１に移動体ＩＤに紐づけて記憶する。
同様に、サーバシステム１（移動体駐車特性指標算出部１０３）は、施設ＩＤを施設種別及び／又は施設ジャンル等でグループ化し、当該移動体６の施設グループ毎に、当該移動体６の当該施設グループの施設駐車場における駐車特性指標を算出して、ユーザプロファイル情報記憶部１１３１に移動体ＩＤに紐づけて記憶する。
【０１２４】
ステップＳ２１８において、サーバシステム１（ユーザプロファイル情報更新部１０４）は、ステップＳ２１７において、当該移動体６の当該施設駐車場における施設ＩＤ毎に算出した駐車特性指標（例えば季節、月、曜日、平日・祝日、及び時間帯等の任意の組み合わせの時間帯における平均滞在時間）の偏差値を、施設情報データベース１１２１に記録された当該施設ＩＤに係る施設駐車場の全ての駐車時間の（例えば季節、月、曜日、平日・祝日、及び時間帯等の任意の組み合わせの時間帯における）平均値、及び標準偏差値に基づいて算出して、ユーザプロファイル情報記憶部１１３１に移動体ＩＤに紐づけて記憶する。
同様に、サーバシステム１（ユーザプロファイル情報更新部１０４）は、ステップＳ２１６において、当該移動体６の前述した施設グループに含まれる全ての施設駐車場における（例えば季節、月、曜日、平日・祝日、及び時間帯等の任意の組み合わせの時間帯における）平均滞在時間の偏差値を、施設情報データベース１１２１に記録された当該施設グループに含まれる全ての施設駐車場の駐車時間の（例えば季節、月、曜日、平日・祝日、及び時間帯等の任意の組み合わせの時間帯における）平均値、及び（例えば季節、月、曜日、平日・祝日、及び時間帯等の任意の組み合わせの時間帯における）標準偏差値に基づいて算出して、ユーザプロファイル情報記憶部１１３１に移動体ＩＤに紐づけて記憶する。
【０１２５】
ステップＳ２１９において、サーバシステム１（ユーザプロファイル情報更新部１０４）は、ステップＳ２１８において算出した、移動体６の使用者であるユーザの滞在した施設種別及び／又はジャンル別の、季節、月、曜日、平日・祝日、及び時間帯等の任意の組み合わせの時間帯における駐車時間の偏差値情報及び駐車回数情報に基づいて、それぞれ、ユーザの行動特性（せっかち度）及びユーザの嗜好を算出して、ユーザプロファイル情報記憶部１１３１に移動体ＩＤに紐づけて記憶する。
以上の処理フローにより、サーバシステム１は、移動体６に紐づけられたユーザの行動特性（せっかち度）及びユーザの嗜好を取得する。
【０１２６】
次に、ユーザ情報管理システム１００における、移動体６に紐づけられたユーザに対する推奨施設情報の提供及び目的地までのルートにおける施設立ち寄りの滞在時間を含む所要時間の見積もりを行う処理の流れについて説明する。図８は、ユーザ情報管理システム１００における移動体６からの推奨施設情報要求からルート案内するまでの処理の流れを示すフローチャートである。
【０１２７】
図８を参照すると、ステップＳ１１１において、車載ナビゲーション装置２（推奨施設情報要求部２０３）は、移動体ＩＤ、車両５の現在位置情報、及び現在時刻情報等を含む推奨施設情報要求を、サーバシステム１に送信する。
【０１２８】
ステップＳ２２１において、サーバシステム１（推奨施設選択部１０５）は、移動体６の使用者であるユーザの嗜好及び行動特性を含むユーザプロファイル情報と、施設情報データベース１１２１に記憶されている施設駐車場の平均駐車時間と標準偏差値を含む統計指標とに基づいて、ユーザに対して、ユーザの嗜好及びユーザの行動特性に適合する施設であって、例えば、現在位置（又はドライブコース）の近くに位置する施設を推奨する施設として選択する。なお、サーバシステム１（推奨施設選択部１０５）は、予め設定された時間（例えば、３０分間）、予め設定された時間間隔（例えば５分間隔）で、推奨施設選択処理を行うようにしてもよい。
【０１２９】
ステップＳ２２２において、サーバシステム１（推奨施設提供部１０６）は、推奨施設選択部１０５により選択した推奨施設情報を車載ナビゲーション装置２に送信する。
【０１３０】
ステップＳ１１２において、車載ナビゲーション装置２（推奨施設表示部２０４）は、表示部２４に表示した車両５の現在位置周辺の地図上に配信された施設の位置を表示するとともに、サーバシステム１から受信した推奨施設情報を表示部２４に表示する。
【０１３１】
ステップＳ１１３において、車載ナビゲーション装置２（推奨施設表示部２０４）は、ユーザにより、希望する施設が選択されたか否かを判定する。希望する施設が選択された場合（Ｙｅｓ）には、ステップＳ１１４へ移る。施設の選択がない場合（Ｎｏ）には、ステップＳ１１２へ移る。
【０１３２】
ステップＳ１１４において、車載ナビゲーション装置２（推奨施設表示部２０４）は、ユーザにより選択された推奨施設を、サーバシステム１に送信する。
【０１３３】
ステップＳ２２３において、サーバシステム１（ナビゲーション部１０７）は、車載ナビゲーション装置２から受信した、ユーザにより選択された推奨施設の位置情報を目的地として設定し、車両５の現在位置からのルートを算出するとともに、推奨施設での滞在時間を推定して、出発位置から推奨施設で滞在して、その後目的地に到着するまでの所要時間を算出する。
【０１３４】
ステップＳ２２４において、サーバシステム１（ナビゲーション部１０７）は、ナビゲーション部１０７により算出されたルート情報、推奨施設での滞在予定時間、及び目的地への所要時間を車載ナビゲーション装置２に送信する。
【０１３５】
ステップＳ１１５において、車載ナビゲーション装置２（ルート案内部２０５）は、サーバシステム１から受信したルート情報にしたがって、表示部２４にルート案内を表示して、ルート案内を開始する。
【０１３６】
なお、車載ナビゲーション装置２に換えて、車両５と信号接続された携帯端末３を用いる場合のユーザ情報管理システム１００の動作について簡単に説明する。
基本的に以下に説明する点を除けば、前述したステップにおいて、車載ナビゲーション装置２を携帯端末３に読み替えることで、携帯端末３を用いる場合のユーザ情報管理システム１００の動作を説明することができる。
【０１３７】
＜異なる点＞
ステップＳ１０１において、携帯端末３は、運転者により車両５のイグニッションスイッチがオン（エンジンを始動）にされることで、車両５とペアリングされ、携帯端末＿接続情報取得部３００を介して移動体種別情報等を取得することで、携帯端末３（携帯端末＿接続処理部３０１）は、サーバシステム１に移動体ＩＤ及びパスワードを用いてログイン要求（接続要求）を送信し、移動体種別情報、移動体６の現在位置及び現在時刻等を送信する。
ステップＳ１０４において、携帯端末３は、運転者により車両５のイグニッションスイッチがオフ（エンジンを停止）にされることによって車両５と携帯端末３とのペアリングが解除され、解除された時の現在位置が最終の車両位置、すなわち駐車位置としてサーバシステム１にアップロードすることができる。
これらの処理以外については、前述したステップにおいて、車載ナビゲーション装置２を携帯端末３に読み替えることで、携帯端末３の場合におけるユーザ情報管理システム１００の処理を説明することができる。
【０１３８】
以上、本発明の好ましい実施形態につき説明したが、本発明は、上述の実施形態に制限されるものではなく、適宜変更が可能である。
［変形例１］
本発明の実施形態では、サーバシステム１を１つのシステムとして記載するが、サーバシステム１の各機能を、適宜複数のコンピュータに分散する、分散処理システムとしてもよい。また、クラウド上での仮想サーバ機能等を利用して、サーバシステム１の各機能を実現してもよい。
［変形例２］
本発明の実施形態において、図２、図３、及び図５の機能的構成は例示に過ぎず、特に限定されない。すなわち、本発明の施設情報配信機能に関する一連の処理を全体として実行できる機能が各機器に備えられていれば足り、この機能を実現するためにどのような機能ブロックを用いるのかは特に図２、図３、及び図５の例に限定されない。
例えば、図２に記載のサーバシステム１の機能ブロックにおいて、移動体駐車特性指標算出部１０３に係る機能をユーザプロファイル情報更新部１０４に含めてもよい。また、推奨施設選択部１０５に係る機能推奨施設提供部１０６に含めてもよい。
［変形例３］
本発明の実施形態においては、サーバシステム１がルート情報を算出して、当該ルート情報を車載ナビゲーション装置２に送信したが、別の実施形態として、車載ナビゲーション装置２がサーバシステム１から目的地設定情報を受信して、当該目的地設定情報に基づいてルート情報を算出することができる。
［変形例４］
同様に、第１実施形態においては、サーバシステム１がルート情報を算出して、当該ルート情報を携帯端末３に送信したが、別の実施形態として、携帯端末３がサーバシステム１から目的地設定情報を受信して、当該目的地設定情報に基づいてルート情報を算出することができる。
［変形例５］
第1実施形態においては、推奨施設選択部１０５は、移動体６の現在位置近辺に位置している施設又は現在位置から進行方向の現在位置近辺に位置している推奨施設を選択するようにしたが、別の実施形態として、移動体６から目的地の情報を受信している場合には、推奨施設選択部１０５は、現在位置から目的地に至る通過経路付近に存在する推奨施設を複数抽出するようにしてもよい。例えば、推奨施設選択部１０５は、現在位置から目的地に至るまでのルートの前半、中盤、後半等、又は、到着予想時刻までの時間帯毎に目的地に至るまでのルート上の近辺に所在する複数の推奨施設情報を優先的に抽出することができる。
【０１３９】
以上説明したユーザ情報管理システム１００によれば、以下のような効果を奏する。
【０１４０】
（１）サーバシステム１によると、各移動体の施設駐車場における駐車情報と、施設情報データベース１１２１に記憶された施設駐車場の統計指標と、に基づいて、ユーザプロファイル情報記憶部１１３１に記憶されている、ユーザの嗜好やユーザの行動特性等を含むユーザプロファイル情報を更新することができる。
これにより、ユーザに直接、ユーザプロファイル情報を入力させることなく、ユーザの嗜好やユーザの行動特性等を含むユーザプロファイル情報を作成することが可能となる。例えば、休日の昼の時間帯は例えば１時間滞在するのが標準的な施設（ＰＯＩ）に３０分しか滞在しないユーザの場合、当該ユーザの行動特性を標準的なユーザと比べてせっかちである旨のユーザプロファイル情報を自動的に作成更新することができる。
【０１４１】
（２）サーバシステム１は、ユーザの嗜好やユーザの行動特性等を含むユーザプロファイル情報に基づいて、当該移動体６の使用者であるユーザに対して、例えば、ユーザの立ち寄るのに適切な施設情報を提供することができる。ユーザによる特別な操作無しで、自動的に作成更新されるユーザプロファイル情報に応じた施設情報が優先的に提供され、ユーザの満足度が向上する。
【０１４２】
（３）サーバシステム１は、移動体６の使用者であるユーザに対して、ルート内で立ち寄る施設における滞在時間をユーザの行動特性を含むユーザプロファイル情報に基づいて、適切に見積もることができる。例えば、せっかちなユーザに対しては立ち寄り時間を平均的なユーザに比べて短い時間を算出することで、目的地への到着予測精度等を向上させることができる。
【０１４３】
本発明のユーザ情報管理システム１００は、ハードウェアにより実行させることもできるし、ソフトウェアにより実行させることもできる。
換言すると、図２、図３、及び図５の機能的構成は例示に過ぎず、特に限定されない。すなわち、本発明の施設情報配信機能に関する一連の処理を全体として実行できる機能が各機器に備えられていれば足り、この機能を実現するためにどのような機能ブロックを用いるのかは特に図２、図３、及び図５の例に限定されない。
また、１つの機能ブロックは、ハードウェア単体で構成してもよいし、ソフトウェア単体で構成してもよいし、それらの組み合わせで構成してもよい。
【０１４４】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータであってもよい。
【０１４５】
このようなプログラムを含む記録媒体は、ユーザにプログラムを提供するために装置本体とは別に配布されるリムーバブルメディアにより構成されるだけでなく、装置本体に予め組み込まれた状態でユーザに提供される記録媒体等で構成される。リムーバブルメディアは、例えば、磁気ディスク（フロッピディスクを含む）、ブルーレイディスク、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）、等により構成される。また、装置本体に予め組み込まれた状態でユーザに提供される記録媒体は、例えば、プログラムが記録されている図２の記憶部１１、図３の記憶部２１、図５の記憶部３１に含まれるハードディスク等で構成される。
【符号の説明】
【０１４６】
１００  ユーザ情報管理システム
１  サーバシステム
１０  制御部
１０１  受信部
１０２  移動体駐車情報特定部
１０３  移動体駐車特性指標算出部
１０４  ユーザプロファイル情報更新部
１０５  推奨施設選択部
１０６  推奨施設提供部
１０７  ナビゲーション部
１０７１  滞在時間見積もり部
１１  記憶部
１１１  地図情報エリア
１１２  施設情報エリア
１１２１  施設情報データベース
１１３  移動体情報エリア
１１３１  ユーザプロファイル情報記憶部
１１４  接続履歴情報エリア
１２  通信部
２  車載ナビゲーション装置
２０  制御部
２０１  接続処理部
２０２  位置情報更新部
２０３  推奨施設情報要求部
２０４  推奨施設表示部
２０５  ルート案内部
２１  記憶部
２２  無線部
２３  センサ部
２４  表示部
２５  入力部
３  携帯端末
３０  制御部
３００  携帯端末＿接続情報取得部
３０１  携帯端末＿接続処理部
３０２  携帯端末＿位置情報更新部
３０３  携帯端末＿推奨施設情報要求部
３０４  携帯端末＿推奨施設表示部
３０５  携帯端末＿ルート案内部
３１  記憶部
３２  無線部
３３  センサ部
３４  表示部
３５  入力部
５    車両
６    移動体
【図１】
2019065349.tif 000003
【図２】
2019065349.tif 000004
【図３】
2019065349.tif 000005
【図４Ａ】
2019065349.tif 000006
【図４Ｂ】
2019065349.tif 000007
【図４Ｃ】
2019065349.tif 000008
【図５】
2019065349.tif 000009
【図６】
2019065349.tif 000010
【図７】
2019065349.tif 000011
【図８】
2019065349.tif 000012
【国際調査報告】
2019065349.tif 000013
2019065349.tif 000014
2019065349.tif 000015